(57)【特許請求の範囲】
【請求項１】
冷媒を圧縮する圧縮機と冷媒を減圧膨張させる膨張弁と第１熱交換器と温調対象空間を温調するための第２熱交換器とが冷媒流路で接続された冷媒回路が複数設けられ、
運転を制御する制御手段が、前記複数の圧縮機を全て運転させる定格運転状態と、前記複数の圧縮機のうちの一部の運転対象の圧縮機を運転させる部分負荷運転状態とに運転状態を切り換え自在に構成されたマルチ型温調システムであって、
前記複数の冷媒回路が、異なる冷媒回路に備えられた前記第１熱交換器に冷媒を通流可能とする接続流路にて連結されており、
前記複数の冷媒回路の夫々において同一の冷媒回路の圧縮機と第１熱交換器とにわたって冷媒を通流させる通常通流状態、及び、前記複数の圧縮機のうちの前記運転対象の圧縮機と、その運転対象の圧縮機が備えられた運転対象の冷媒回路の第１熱交換器及び前記運転対象の冷媒回路とは異なる一部又は全ての冷媒回路の第１熱交換器とにわたって冷媒を通流させる部分負荷通流状態に切り換え自在な通流状態切換手段が設けられ、
前記接続流路として、前記複数の冷媒回路の夫々に備えられた前記第１熱交換器を直列状に接続する直列接続流路が設けられ、
前記通流状態切換手段が、前記部分負荷通流状態においては前記直列接続流路を通して冷媒を通流させるように構成され、
前記制御手段が、前記定格運転状態においては、前記通流状態切換手段を前記通常通流状態に切り換え、前記部分負荷運転状態においては、前記通流状態切換手段を前記部分負荷通流状態に切り換えるように構成されているマルチ型温調システム。
【請求項２】
冷媒を圧縮する圧縮機と冷媒を減圧膨張させる膨張弁と第１熱交換器と温調対象空間を温調するための第２熱交換器とが冷媒流路で接続された冷媒回路が複数設けられ、
運転を制御する制御手段が、前記複数の圧縮機を全て運転させる定格運転状態と、前記複数の圧縮機のうちの一部の運転対象の圧縮機を運転させる部分負荷運転状態とに運転状態を切り換え自在に構成されたマルチ型温調システムであって、
前記複数の冷媒回路が、異なる冷媒回路に備えられた前記第１熱交換器に冷媒を通流可能とする接続流路にて連結されており、
前記複数の冷媒回路の夫々において同一の冷媒回路の圧縮機と第１熱交換器とにわたって冷媒を通流させる通常通流状態、及び、前記複数の圧縮機のうちの前記運転対象の圧縮機と、その運転対象の圧縮機が備えられた運転対象の冷媒回路の第１熱交換器及び前記運転対象の冷媒回路とは異なる一部又は全ての冷媒回路の第１熱交換器とにわたって冷媒を通流させる部分負荷通流状態に切り換え自在な通流状態切換手段が設けられ、
前記接続流路として、前記複数の冷媒回路の夫々に備えられた前記第１熱交換器を並列状に接続する並列接続流路が設けられ、
前記通流状態切換手段が、前記部分負荷通流状態においては前記並列接続流路を通して冷媒を通流させるように構成され、
前記複数の冷媒回路が、異なる冷媒回路に備えられた膨張弁に冷媒を通流可能とする膨張弁用接続流路にて連結されており、
前記通流状態切換手段が、前記部分負荷通流状態において、冷媒を通流させる膨張弁の数を変更自在に構成され、
前記制御手段が、前記定格運転状態においては、前記通流状態切換手段を前記通常通流状態に切り換え、前記部分負荷運転状態においては、前記通流状態切換手段を前記部分負荷通流状態に切り換えると共に、空調負荷に応じて冷媒を通流させる膨張弁の数を変更すべく前記通流状態切換手段を作動させるように構成されているマルチ型温調システム。
【請求項３】
前記制御手段が、前記部分負荷運転状態において前記運転対象の圧縮機を変更設定自在に構成され、
前記通流状態切換手段が、前記変更設定される運転対象の圧縮機を備えた冷媒回路を前記運転対象の冷媒回路として前記部分負荷通流状態に切り換え自在に構成されている請求項１又は２に記載のマルチ型温調システム。
【請求項４】
前記複数の冷媒回路の夫々が、各冷媒回路専用の第１熱交換器と前記複数の冷媒回路で共通の複数の第２熱交換器とを並列状に接続するように構成され、
前記複数の第２熱交換器が、温調対象空間に設置される複数の室内ユニットに分散して設けられている請求項１〜３のいずれか１項に記載のマルチ型温調システム。
【請求項５】
前記複数の冷媒回路の夫々が、各冷媒回路専用の第１熱交換器と各冷媒回路専用の第２交換器とを接続して構成され、
前記複数の冷媒回路の第２熱交換器夫々が、温調対象空間に設置される室内用熱交換器に循環される熱搬送用流体と冷媒とを熱交換させるように構成されている請求項１〜３のいずれか１項に記載のマルチ型温調システム。
【請求項６】
前記複数の冷媒回路が、異なる冷媒回路に備えられた前記第２熱交換器に冷媒を通流可能とする空調側接続流路にて連結されており、
前記複数の冷媒回路の夫々において同一の冷媒回路の圧縮機と第２熱交換器とにわたって冷媒を通流させる通常通流状態、及び、前記複数の圧縮機のうちの前記運転対象の圧縮機と、その運転対象の圧縮機が備えられた運転対象の冷媒回路の第２熱交換器及び前記運転対象の冷媒回路とは異なる一部又は全ての冷媒回路の第２熱交換器とにわたって冷媒を通流させる部分負荷通流状態に切り換え自在な空調側通流状態切換手段が設けられ、
前記制御手段が、前記定格運転状態においては、前記空調側通流状態切換手段を前記通常通流状態に切り換え、前記部分負荷運転状態においては、前記空調側通流状態切換手段を前記部分負荷通流状態に切り換えるように構成されている請求項５に記載のマルチ型温調システム。
【請求項７】
前記空調側接続流路として、前記複数の冷媒回路の夫々に備えられた前記第２熱交換器を並列状に接続する空調側並列接続流路が設けられ、
前記空調側通流状態切換手段が、前記部分負荷通流状態においては前記空調側並列接続流路を通して冷媒を通流させるように構成されている請求項６に記載のマルチ型温調システム。
【請求項８】
前記空調側接続流路として、前記複数の冷媒回路の夫々に備えられた前記第２熱交換器を直列状に接続する空調側直列接続流路が設けられ、
前記空調側通流状態切換手段が、前記部分負荷通流状態においては前記空調側直列接続流路を通して冷媒を通流させるように構成されている請求項６に記載のマルチ型温調システム。
【請求項９】
前記複数の冷媒回路の夫々に、前記圧縮機、凝縮器として機能する前記第１熱交換器、前記膨張弁、蒸発器として機能する前記第２熱交換器の順に冷媒を通流させる冷房用通流状態と、前記圧縮機、凝縮器として機能する前記第２熱交換器、前記膨張弁、蒸発器として機能する前記第１熱交換器の順に冷媒を通流させる暖房用通流状態とに冷媒の通流状態を切り換え自在な冷暖切換手段が設けられている請求項１〜８のいずれか１項に記載のマルチ型温調システム。
【請求項１０】
前記圧縮機がエンジンにて駆動される請求項１〜９のいずれか１項に記載のマルチ型温調システム。
【発明の詳細な説明】
【技術分野】
【０００１】
本発明は、冷媒を圧縮する圧縮機と冷媒を減圧膨張させる膨張弁と第１熱交換器と温調対象空間を温調するための第２熱交換器とが冷媒流路で接続された冷媒回路が複数設けられ、
運転を制御する制御手段が、前記複数の圧縮機を全て運転させる定格運転状態と、前記複数の圧縮機のうちの一部の運転対象の圧縮機を運転させる部分負荷運転状態とに運転状態を切り換え自在に構成されたマルチ型温調システムに関する。
【背景技術】
【０００２】
かかるマルチ型温調システムは、例えば、冷媒回路のうちの圧縮機、膨張弁及び第１熱交換器が備えられて室外ユニットに構成され、冷媒回路のうちの第２熱交換器が備えられて室内ユニットに構成されて、複数の室内ユニットが複数の温調対象空間に分散して配置されるものであり、複数の温調対象空間を冷房や暖房することができる。
そして、制御手段により、冷房や暖房の空調負荷に応じて、複数の圧縮機を全て運転させる定格運転状態と、複数の圧縮機のうちの一部の運転対象の圧縮機を運転させる部分負荷運転状態とに運転状態を切り換えるように構成されている。
【０００３】
このようなマルチ型温調システムにおいて、従来は、複数の冷媒回路夫々が、各冷媒回路毎に独立した状態で圧縮機と第１熱交換器とにわたって冷媒を通流させるように構成されていた（例えば、特許文献１参照。）。
【先行技術文献】
【特許文献】
【０００４】
【特許文献１】特開２００７−１１３８３０号公報
【発明の概要】
【発明が解決しようとする課題】
【０００５】
従来のマルチ型温調システムでは、部分負荷運転状態においては、運転対象の圧縮機とその運転対象の圧縮機が備えられた運転対象の冷媒回路の第１熱交換器とにわたって冷媒が通流されるので、部分負荷運転状態において、冷媒を外気と熱交換させる第１熱交換器は、運転対象の圧縮機が備えられた運転対象の冷媒回路の第１熱交換器に限定されることになる。
従って、冷媒と外気との伝熱を改善させて空調効率（成績係数）を向上する上で、改善の余地があった。
【０００６】
本発明は、かかる実情に鑑みてなされたものであり、その目的は、冷媒と外気との伝熱を改善させて空調効率を向上し得るマルチ型温調システムを提供することにある。
【課題を解決するための手段】
【０００７】
上記目的を達成するための本発明のマルチ型温調システムは、冷媒を圧縮する圧縮機と冷媒を減圧膨張させる膨張弁と第１熱交換器と温調対象空間を温調するための第２熱交換器とが冷媒流路で接続された冷媒回路が複数設けられ、
運転を制御する制御手段が、前記複数の圧縮機を全て運転させる定格運転状態と、前記複数の圧縮機のうちの一部の運転対象の圧縮機を運転させる部分負荷運転状態とに運転状態を切り換え自在に構成されたものであって、
その特徴構成は、前記複数の冷媒回路が、異なる冷媒回路に備えられた前記第１熱交換器に冷媒を通流可能とする接続流路にて連結されており、
前記複数の冷媒回路の夫々において同一の冷媒回路の圧縮機と第１熱交換器とにわたって冷媒を通流させる通常通流状態、及び、前記複数の圧縮機のうちの前記運転対象の圧縮機と、その運転対象の圧縮機が備えられた運転対象の冷媒回路の第１熱交換器及び前記運転対象の冷媒回路とは異なる一部又は全ての冷媒回路の第１熱交換器とにわたって冷媒を通流させる部分負荷通流状態に切り換え自在な通流状態切換手段が設けられ、
前記接続流路として、前記複数の冷媒回路の夫々に備えられた前記第１熱交換器を直列状に接続する直列接続流路が設けられ、
前記通流状態切換手段が、前記部分負荷通流状態においては前記直列接続流路を通して冷媒を通流させるように構成され、
前記制御手段が、前記定格運転状態においては、前記通流状態切換手段を前記通常通流状態に切り換え、前記部分負荷運転状態においては、前記通流状態切換手段を前記部分負荷通流状態に切り換えるように構成されている点にある。
【０００８】
上記特徴構成によれば、定格運転状態においては、通流状態切換手段が通常通流状態に切り換えられて、複数の冷媒回路の夫々において、同一の冷媒回路の圧縮機と第１熱交換器とにわたって冷媒が通流する。
部分負荷運転状態においては、通流状態切換手段が部分負荷通流状態に切り換えられて、複数の圧縮機のうちの運転対象の圧縮機と、その運転対象の圧縮機が備えられた運転対象の冷媒回路の第１熱交換器及び運転対象の冷媒回路とは異なる一部又は全ての冷媒回路の第１熱交換器とにわたって冷媒が通流する。
つまり、部分負荷通流状態においては、運転対象の圧縮機が備えられた運転対象の冷媒回路の第１熱交換器に加えて、運転対象以外の一部又は全ての冷媒回路の第１熱交換器においても、冷媒を外気と熱交換させることができるので、冷媒と外気との伝熱を改善させることができる。
しかも、部分負荷通流状態においては、直列接続流路を通して、冷媒が運転対象の冷媒回路の第１熱交換器、運転対象の冷媒回路とは異なる一部又は全ての冷媒回路の第１熱交換器を１台ずつ順に通流する。これにより、冷媒を外気と熱交換させる状態で通流させる経路を長くすることができると共に、冷媒が複数の第１熱交換器を並行して通流する場合に起こり得る第１熱交換器での冷媒の流量の減少及び流速の低下（即ち、レイノルズ数の低下）を回避して、各第１熱交換器での伝熱性能の低下を回避することができるので、冷媒と外気との伝熱を一層効果的に改善させることができる。
従って、冷媒と外気との伝熱を改善させて空調効率を向上し得るマルチ型温調システムを提供することができるようになった。
【０００９】
上記目的を達成するための本発明のマルチ型温調システムは、冷媒を圧縮する圧縮機と冷媒を減圧膨張させる膨張弁と第１熱交換器と温調対象空間を温調するための第２熱交換器とが冷媒流路で接続された冷媒回路が複数設けられ、
運転を制御する制御手段が、前記複数の圧縮機を全て運転させる定格運転状態と、前記複数の圧縮機のうちの一部の運転対象の圧縮機を運転させる部分負荷運転状態とに運転状態を切り換え自在に構成されたものであって、
その特徴構成は、前記複数の冷媒回路が、異なる冷媒回路に備えられた前記第１熱交換器に冷媒を通流可能とする接続流路にて連結されており、
前記複数の冷媒回路の夫々において同一の冷媒回路の圧縮機と第１熱交換器とにわたって冷媒を通流させる通常通流状態、及び、前記複数の圧縮機のうちの前記運転対象の圧縮機と、その運転対象の圧縮機が備えられた運転対象の冷媒回路の第１熱交換器及び前記運転対象の冷媒回路とは異なる一部又は全ての冷媒回路の第１熱交換器とにわたって冷媒を通流させる部分負荷通流状態に切り換え自在な通流状態切換手段が設けられ、
前記接続流路として、前記複数の冷媒回路の夫々に備えられた前記第１熱交換器を並列状に接続する並列接続流路が設けられ、
前記通流状態切換手段が、前記部分負荷通流状態においては前記並列接続流路を通して冷媒を通流させるように構成され、
前記複数の冷媒回路が、異なる冷媒回路に備えられた膨張弁に冷媒を通流可能とする膨張弁用接続流路にて連結されており、
前記通流状態切換手段が、前記部分負荷通流状態において、冷媒を通流させる膨張弁の数を変更自在に構成され、
前記制御手段が、前記定格運転状態においては、前記通流状態切換手段を前記通常通流状態に切り換え、前記部分負荷運転状態においては、前記通流状態切換手段を前記部分負荷通流状態に切り換えると共に、空調負荷に応じて冷媒を通流させる膨張弁の数を変更すべく前記通流状態切換手段を作動させるように構成されている点にある。
【００１０】
上記特徴構成によれば、前述の特徴構成と同様に、定格運転状態においては、通流状態切換手段が通常通流状態に切り換えられ、部分負荷運転状態においては、通流状態切換手段が部分負荷通流状態に切り換えられる。
そして、部分負荷通流状態においては、運転対象の圧縮機が備えられた運転対象の冷媒回路の第１熱交換器に加えて、運転対象以外の一部又は全ての冷媒回路の第１熱交換器においても、冷媒を外気と熱交換させることができるので、冷媒と外気との伝熱を改善させることができる。
ところで、部分負荷通流状態においては、冷媒を通流させる膨張弁の数が空調負荷に応じて変更される状態で、冷媒が、並列接続流路を通して、運転対象の冷媒回路の第１熱交換器及び運転対象の冷媒回路とは異なる一部又は全ての冷媒回路の第１熱交換器を並行して通流する。
そして、部分負荷通流状態では、冷媒が複数の第１熱交換器を並行して通流するにしても、空調負荷が小さいときは、冷媒が一つの膨張弁を通流するようにしたり、冷媒が並行して通流する膨張弁の数を少なくすることができる。
これにより、空調負荷が小さくなって冷媒の通流量が少なくなっても、冷媒を通流させる膨張弁の数を少なくして、膨張弁１台当たりの冷媒流量を増やすことにより、膨張弁を通流する冷媒流量が膨張弁での制御可能流量範囲の下限よりも少なくなるのを回避することができるので、適切に運転することができる。
ちなみに、部分負荷通流状態においては、冷媒が複数の第１熱交換器を並行して通流するので、各第１熱交換器を通流する冷媒の流量が減少すると共に流速が低下して、各第１熱交換器での伝熱性能が多少低下する虞があるが、運転対象の冷媒回路の第１熱交換器に加えて、運転対象以外の第１熱交換器においても冷媒を外気と熱交換させることにより、全体として冷媒と外気との伝熱を十分に改善させることができるのである。
従って、冷媒と外気との伝熱を改善させて空調効率を向上し得るマルチ型温調システムを提供することができるようになった。
【００１１】
本発明に係るマルチ型温調システムの更なる特徴構成は、
前記制御手段が、前記部分負荷運転状態において前記運転対象の圧縮機を変更設定自在に構成され、
前記通流状態切換手段が、前記変更設定される運転対象の圧縮機を備えた冷媒回路を前記運転対象の冷媒回路として前記部分負荷通流状態に切り換え自在に構成されている点にある。
【００１２】
上記特徴構成によれば、部分負荷運転状態において、運転対象となる圧縮機が変更設定され、そして、運転対象となる圧縮機が変更設定されると、通流状態切換手段が、変更設定された運転対象の圧縮機を備えた冷媒回路を運転対象の冷媒回路とする部分負荷通流状態に切り換えられる。
つまり、部分負荷運転状態において、運転対象の圧縮機を変更設定することができるので、複数の圧縮機の運転時間を均等化することができるものとなり、複数の圧縮機及びそれらを駆動するエンジン又はモータの寿命を均等化して、マルチ型温調システムの耐久性を向上することができる。
そして、部分負荷運転状態において運転対象の圧縮機が変更設定されても、変更設定される運転対象の圧縮機を備えた冷媒回路を運転対象の冷媒回路とする部分負荷通流状態にて、冷媒を通流させることができる。
従って、マルチ型温調システムの耐久性を向上しながら、空調効率を向上することができるようになった。
【００１３】
本発明に係るマルチ型温調システムの更なる特徴構成は、
前記複数の冷媒回路の夫々が、各冷媒回路専用の第１熱交換器と前記複数の冷媒回路で共通の複数の第２熱交換器とを並列状に接続するように構成され、
前記複数の第２熱交換器が、温調対象空間に設置される複数の室内ユニットに分散して設けられている点にある。
【００１４】
上記特徴構成によれば、複数の冷媒回路の夫々が、各冷媒回路専用の第１熱交換器と複数の冷媒回路で共通の複数の第２熱交換器とを並列状に接続するように構成されていて、複数の第２熱交換器のうちのいずれが運転されても、複数の圧縮機から任意のものを運転対象に選定して、運転される第２熱交換器と運転対象の圧縮機とにわたって冷媒を循環させることができる。
しかも、複数の室内ユニットにおける運転時間のバラツキが大きくなっても、部分負荷運転状態においては、複数の圧縮機の運転時間が均等になるように、運転対象の圧縮機を設定することができる。
従って、複数の室内ユニットにおける運転時間のバラツキに拘わらず、耐久性を向上することができるようになった。
【００１５】
本発明に係るマルチ型温調システムの更なる特徴構成は、
前記複数の冷媒回路の夫々が、各冷媒回路専用の第１熱交換器と各冷媒回路専用の第２交換器とを接続して構成され、
前記複数の冷媒回路の第２熱交換器夫々が、温調対象空間に設置される室内用熱交換器に循環される熱搬送用流体と冷媒とを熱交換させるように構成されている点にある。
【００１６】
上記特徴構成によれば、複数の冷媒回路の夫々が、各冷媒回路専用の第１熱交換器と各冷媒回路専用の第２交換器とを接続して構成されているので、冷媒回路全ての構成を室外ユニットに組み込むことができる。
そして、複数の冷媒回路の第２熱交換器夫々と温調対象空間に設置される室内用熱交換器とを熱搬送用流体を循環させる循環路にて接続することにより、第２熱交換器での冷媒との熱交換により冷却又は加熱した熱搬送用流体を室内用熱交換器に循環供給して、温調対象空間を冷房又は暖房することができる。
つまり、冷媒回路全ての構成を室外ユニットに組み込むことができるので、マルチ型温調システムの設置箇所では、手間のかかる冷媒流路の配管を不要にして、据付工事を簡略化することができる。
【００１７】
本発明に係るマルチ型温調システムの更なる特徴構成は、
前記複数の冷媒回路が、異なる冷媒回路に備えられた前記第２熱交換器に冷媒を通流可能とする空調側接続流路にて連結されており、
前記複数の冷媒回路の夫々において同一の冷媒回路の圧縮機と第２熱交換器とにわたって冷媒を通流させる通常通流状態、及び、前記複数の圧縮機のうちの前記運転対象の圧縮機と、その運転対象の圧縮機が備えられた運転対象の冷媒回路の第２熱交換器及び前記運転対象の冷媒回路とは異なる一部又は全ての冷媒回路の第２熱交換器とにわたって冷媒を通流させる部分負荷通流状態に切り換え自在な空調側通流状態切換手段が設けられ、
前記制御手段が、前記定格運転状態においては、前記空調側通流状態切換手段を前記通常通流状態に切り換え、前記部分負荷運転状態においては、前記空調側通流状態切換手段を前記部分負荷通流状態に切り換えるように構成されている点にある。
【００１８】
上記特徴構成によれば、定格運転状態においては、空調側通流状態切換手段が通常通流状態に切り換えられて、複数の冷媒回路の夫々において、同一の冷媒回路の圧縮機と第２熱交換器とにわたって冷媒が通流する。
部分負荷運転状態においては、空調側通流状態切換手段が部分負荷通流状態に切り換えられて、運転対象の冷媒回路の第２熱交換器、及び、運転対象の冷媒回路とは異なる一部又は全ての冷媒回路の第２熱交換器に供給された冷媒が運転対象の圧縮機に戻されるので、運転対象の圧縮機が備えられた運転対象の冷媒回路の第２熱交換器に加えて、運転対象以外の一部又は全ての冷媒回路に備えられた第２熱交換器においても、冷媒を熱搬送用流体と熱交換させることができるものとなり、冷媒と熱搬送用流体との伝熱を改善させることができる。
従って、冷媒と熱搬送用流体との伝熱を改善させることができるので、空調効率をより一層向上することができるようになった。
【００１９】
本発明に係るマルチ型温調システムの更なる特徴構成は、
前記空調側接続流路として、前記複数の冷媒回路の夫々に備えられた前記第２熱交換器を並列状に接続する空調側並列接続流路が設けられ、
前記空調側通流状態切換手段が、前記部分負荷通流状態においては前記空調側並列接続流路を通して冷媒を通流させるように構成されている点にある。
【００２０】
上記特徴構成によれば、部分負荷通流状態においては、空調側並列接続流路を通して、冷媒が運転対象の冷媒回路の第２熱交換器及び運転対象の冷媒回路とは異なる一部又は全ての冷媒回路の第２熱交換器を並行して通流する。
つまり、部分負荷通流状態においては、冷媒が複数の第２熱交換器を並行して通流するので、各第２熱交換器を通流する冷媒の流量が減少すると共に流速が低下して、各第２熱交換器での伝熱性能が多少低下する虞があるが、運転対象の冷媒回路の第２熱交換器に加えて、運転対象以外の第２熱交換器においても冷媒を熱搬送用流体と熱交換させるので、全体として冷媒と熱搬送用流体との伝熱を十分に改善させることができるものとなり、空調効率を向上することができる。
【００２１】
本発明に係るマルチ型温調システムの更なる特徴構成は、
前記空調側接続流路として、前記複数の冷媒回路の夫々に備えられた前記第２熱交換器を直列状に接続する空調側直列接続流路が設けられ、
前記空調側通流状態切換手段が、前記部分負荷通流状態においては前記空調側直列接続流路を通して冷媒を通流させるように構成されている点にある。
【００２２】
上記特徴構成によれば、部分負荷通流状態においては、空調側直列接続流路を通して、冷媒が運転対象の冷媒回路の第２熱交換器、運転対象の冷媒回路とは異なる一部又は全ての冷媒回路の第２熱交換器を１台ずつ順に通流する。
これにより、冷媒を熱搬送用流体と熱交換させる状態で通流させる経路を長くすることができると共に、冷媒が複数の第２熱交換器を並行して通流する場合に起こり得る第２熱交換器での冷媒の流量の減少及び流速の低下を回避して、各第２熱交換器での伝熱性能の低下を回避することができるので、冷媒と熱搬送用流体との伝熱を一層効果的に改善させて、空調効率を向上することができる。
【００２３】
本発明に係るマルチ型温調システムの更なる特徴構成は、
前記複数の冷媒回路の夫々に、前記圧縮機、凝縮器として機能する前記第１熱交換器、前記膨張弁、蒸発器として機能する前記第２熱交換器の順に冷媒を通流させる冷房用通流状態と、前記圧縮機、凝縮器として機能する前記第２熱交換器、前記膨張弁、蒸発器として機能する前記第１熱交換器の順に冷媒を通流させる暖房用通流状態とに冷媒の通流状態を切り換え自在な冷暖切換手段が設けられている点にある。
【００２４】
上記特徴構成によれば、冷暖切換手段を冷房用通流状態に切り換えると、蒸発器として機能する第２熱交換器にて、温調対象空間の空気、又は、温調対象空間に設置される室内用熱交換器に循環供給される熱搬送用流体を冷却して、温調対象空間を冷房することができる。
そして、冷暖切換手段が冷房用通流状態に切り換えられた状態において、通流状態切換手段が部分負荷通流状態に切り換えられると、運転対象の圧縮機と、その運転対象の圧縮機が備えられた運転対象の冷媒回路の第１熱交換器及び運転対象の冷媒回路とは異なる一部又は全ての冷媒回路の第１熱交換器とにわたって冷媒が通流することになる。
又、冷暖切換手段を暖房用通流状態に切り換えると、凝縮器として機能する第２熱交換器にて、温調対象空間の空気、又は、温調対象空間に設置される室内用熱交換器に循環供給される熱搬送用流体を加熱して、温調対象空間を暖房することができる。
そして、冷暖切換手段が暖房用通流状態に切り換えられた状態において、通流状態切換手段が部分負荷通流状態に切り換えられると、運転対象の圧縮機と、その運転対象の圧縮機が備えられた運転対象の冷媒回路の第１熱交換器及び運転対象の冷媒回路とは異なる一部又は全ての冷媒回路の第１熱交換器とにわたって冷媒が通流することになる。
従って、冷房運転と暖房運転とに切り換え自在なマルチ型温調システムにおいて、空調効率を向上することができるようになった。
【００２５】
本発明に係るマルチ型温調システムの更なる特徴構成は、
前記圧縮機がエンジンにて駆動される点にある。
【００２６】
上記特徴構成によれば、圧縮機がエンジンにて駆動され、そのエンジンの排熱を暖房用や給湯用に利用することができる。又、温熱を冷熱に変換することができる装置が設けられる場合は、エンジンの排熱を冷熱変換用として用いることができる。
従って、圧縮機を駆動するエンジンの排熱をこのマルチ型温調システムとは別の空調機器での暖房用や冷房用に利用することができ、又、給湯用にも利用することができるので、空調効率をより一層向上することができるようになった。
【図面の簡単な説明】
【００２７】
【図１】第１実施形態に係るマルチ型空調システムの構成、及び、冷房運転状態での冷媒の流れを示す図
【図２】第１実施形態に係る暖房運転状態での冷媒の流れを示す図
【図３】第２実施形態に係るマルチ型空調システムの構成、及び、冷房運転状態での冷媒の流れを示す図
【図４】第２実施形態に係る暖房運転状態での冷媒の流れを示す図
【図５】第３実施形態に係るマルチ型空調システムの構成、及び、冷房運転状態での冷媒の流れを示す図
【図６】第３実施形態に係る暖房運転状態での冷媒の流れを示す図
【図７】第３実施形態に係る冷房運転状態での冷媒の流れを示す図
【図８】第３実施形態に係る暖房運転状態での冷媒の流れを示す図
【図９】第４実施形態に係るマルチ型空調システムの構成、及び、冷房運転状態での冷媒の流れを示す図
【図１０】第４実施形態に係る暖房運転状態での冷媒の流れを示す図
【図１１】第４実施形態に係る冷房運転状態での冷媒の流れを示す図
【図１２】第４実施形態に係る暖房運転状態での冷媒の流れを示す図
【図１３】第５実施形態に係るマルチ型空調システムの構成、及び、冷房運転状態での冷媒の流れを示す図
【図１４】第５実施形態に係る暖房運転状態での冷媒の流れを示す図
【図１５】第６実施形態に係るマルチ型空調システムの構成、及び、冷房運転状態での冷媒の流れを示す図
【図１６】第６実施形態に係る暖房運転状態での冷媒の流れを示す図
【図１７】第６実施形態に係る冷房運転状態での冷媒の流れを示す図
【図１８】第６実施形態に係る暖房運転状態での冷媒の流れを示す図
【図１９】第６実施形態に係る冷房運転状態での冷媒の流れを示す図
【図２０】第６実施形態に係る暖房運転状態での冷媒の流れを示す図
【図２１】第６実施形態に係る冷房運転状態での冷媒の流れを示す図
【図２２】第６実施形態に係る暖房運転状態での冷媒の流れを示す図
【図２３】第７実施形態に係るマルチ型空調システムの構成、及び、冷房運転状態での冷媒の流れを示す図
【図２４】第７実施形態に係る暖房運転状態での冷媒の流れを示す図
【図２５】第８実施形態に係るマルチ型空調システムの構成、及び、冷房運転状態での冷媒の流れを示す図
【図２６】第８実施形態に係る冷房運転状態での冷媒の流れを示す図
【図２７】第９実施形態に係るマルチ型空調システムの構成、及び、冷房運転状態での冷媒の流れを示す図
【図２８】第９実施形態に係る冷房運転状態での冷媒の流れを示す図
【図２９】第１０実施形態に係るマルチ型空調システムの構成、及び、冷房運転状態での冷媒の流れを示す図
【図３０】第１０実施形態に係る冷房運転状態での冷媒の流れを示す図
【図３１】別実施形態に係るマルチ型空調システムの構成、及び、冷房運転状態での冷媒の流れを示す図
【図３２】別実施形態に係るマルチ型空調システムの構成、及び、暖房運転状態での冷媒の流れを示す図
【図３３】別実施形態に係るマルチ型空調システムの構成、及び、冷房運転状態での冷媒の流れを示す図
【図３４】別実施形態に係るマルチ型空調システムの構成、及び、暖房運転状態での冷媒の流れを示す図
【図３５】別実施形態に係るマルチ型空調システムの構成、及び、冷房運転状態での冷媒の流れを示す図
【図３６】別実施形態に係るマルチ型空調システムの構成、及び、暖房運転状態での冷媒の流れを示す図
【発明を実施するための形態】
【００２８】
以下、図面に基づいて、本発明の実施形態を説明する。
〔第１実施形態〕
先ず、図１及び図２に基づいて、第１実施形態を説明する。
尚、図１は、マルチ型温調システムとしてのマルチ型空調システムの全体構成、及び、冷媒回路Ｃを冷房運転状態に切り換えた状態での冷媒の流れを示し、図２は、冷媒回路Ｃを暖房運転状態に切り換えた状態での冷媒の流れを示し、更に、図１及び図２夫々において、（ａ）は複数の圧縮機１を全て運転させる定格運転状態での冷媒の流れを示し、（ｂ）は複数の圧縮機１のうちの一部の運転対象の圧縮機２を運転させる部分負荷運転状態（第１部分負荷運転状態）での冷媒の流れを示す。尚、図１及び図２夫々、並びに、後述の他の実施形態を説明する図夫々において、冷媒が通流している部位を太線にて示し、冷媒が通流していない部位を細線にて示す。
【００２９】
マルチ型空調システムには、冷媒を圧縮する圧縮機１と冷媒を減圧膨張させる膨張弁２と第１熱交換器としての室外用熱交換器３と空調対象空間（温調対象空間に相当する）を空調するための第２熱交換器としての空調用熱交換器４とが冷媒流路５で接続された冷媒回路Ｃが複数設けられ、又、マルチ型空調システムの運転を制御する制御手段としての制御部６も設けられている。
各冷媒回路Ｃの圧縮機１は、ガスエンジン９にて駆動される。このガスエンジン９を冷却するエンジン冷却水が冷却水循環路１０を通して排熱利用熱交換器１１に循環されるように構成されている。図示を省略するが、排熱利用熱交換器１１は、給湯用や暖房用等の熱源とするように構成され、ガスエンジン９の排熱が給湯用や暖房用に利用される。
【００３０】
そして、制御部６が、複数の圧縮機１を全て運転させる定格運転状態と、複数の圧縮機１のうちの一部の運転対象の圧縮機１を運転させる部分負荷運転状態とに運転状態を切り換え自在に構成されている。
【００３１】
この第１実施形態では、冷媒回路Ｃが２台設けられている。尚、各図では、２台の冷媒回路Ｃを区別するため、冷媒回路を示す符号Ｃに添え字ａ，ｂを付し、又、以下の説明において、２台の冷媒回路Ｃを区別して説明するときは、冷媒回路を示す符号Ｃに添え字ａ，ｂを付して、第１冷媒回路Ｃａ、第２冷媒回路Ｃｂと記載する。
【００３２】
複数の冷媒回路Ｃの夫々には、圧縮機１、凝縮器として機能する室外用熱交換器３、膨張弁２、蒸発器として機能する空調用熱交換器４の順に巡る冷房運転用循環経路で冷媒を通流させる冷房用通流状態と、圧縮機１、凝縮器として機能する空調用熱交換器４、膨張弁２、蒸発器として機能する室外用熱交換器３の順に巡る暖房運転用循環経路で冷媒を通流させる暖房用通流状態とに冷媒の通流状態を切り換え自在な冷暖切換手段としての四方弁７が設けられている。
【００３３】
冷媒回路Ｃについて説明を加えると、四方弁７は、冷媒出入用の４つのポート７ａ，７ｂ，７ｃ，７ｄを備えている。
そして、ポート７ａと圧縮機１の冷媒吐出口とが冷媒流路５のうちの対圧縮機出口流路５ａにて接続され、ポート７ｂと圧縮機１の冷媒入口とが冷媒流路５のうちの対圧縮機入口流路５ｂにて接続され、ポート７ｃと室外用熱交換器３の一方の冷媒出入口とが冷媒流路５のうちの対室外用熱交換器流路５ｃにて接続され、ポート７ｄと空調用熱交換器４の一方の冷媒出入口とが冷媒流路５のうちの対空調用熱交換器流路５ｄにて接続され、更に、室外用熱交換器３の他方の冷媒出入口と空調用熱交換器４の他方の冷媒出入口とが冷媒流路５のうちの熱交換器間流路５ｅにて接続されている。
前記膨張弁２が、熱交換器間流路５ｅに設けられ、対圧縮機入口流路５ｂには、アキュムレータ８が設けられている。
【００３４】
この第１実施形態では、２台の冷媒回路Ｃの夫々が、各冷媒回路専用の室外用熱交換器３と２台の冷媒回路Ｃで共通の複数（この実施形態では６台）の空調用熱交換器４とを対空調用熱交換器流路５ｄ及び熱交換器間流路５ｅにより並列状に接続するように構成されている。
冷媒回路Ｃのうち圧縮機１、アキュムレータ８、膨張弁２及び室外用熱交換器３が１台ずつ設けられて、室外ユニットＵｅが構成されている。つまり、室外ユニットＵｅが２台設けられている。図示を省略するが、各室外ユニットＵｅには、室外用熱交換器３を通流する冷媒と熱交換させるために外気を室外用熱交換器３に通風する外気用通風機が設けられている。
又、６台の空調用熱交換器４が１台ずつ室内ユニットＵｉに設けられている。各室内ユニットＵｉは、空調対象空間に設置されるものである。図示を省略するが、各室内ユニットＵｉには、空調対象空間内の空気を空調用熱交換器４に通風したのち空調対象空間に戻すように通風作用する空調用送風機、及び、室内ユニットＵｉの運転及び停止等を指令するリモートコントローラ等が設けられている。つまり、６台の室内ユニットＵｉは、夫々のリモートコントローラにより各別に運転及び停止が可能である。
【００３５】
そして、図１に示すように、操作盤（図示省略）から冷房運転が指令されると、ポート７ａ，７ｃ間が連通し且つポート７ｂ，７ｄ間が連通する状態に四方弁７が切り換えられて、冷媒回路Ｃが冷房運転状態に切り換えられる。
この冷房運転状態では、圧縮機１から吐出される高温高圧の蒸気冷媒が四方弁７を経由して凝縮器として機能する室外用熱交換器３に供給され、その室外用熱交換器３において蒸気冷媒が外気との熱交換により熱を放出して凝縮液化する。
室外用熱交換器３から流出した液冷媒は膨張弁２を通過して減圧されたのち、蒸発器として機能する空調用熱交換器４に供給され、その空調用熱交換器４において液冷媒が空調対象空間の空気から熱を奪って蒸発気化する。
空調用熱交換器４から流出した蒸気冷媒は、四方弁７を経由し、更にアキュムレータ８を通過して液分が除去されたのち圧縮機１に戻り、以降、同様の冷房運転用循環経路で冷媒が循環される。
【００３６】
図２に示すように、前記操作盤から暖房運転が指令されると、ポート７ａ，７ｄ間が連通し且つポート７ｂ，７ｃ間が連通する状態に四方弁７が切り換えられて、冷媒回路Ｃが暖房運転状態に切り換えられる。
この暖房運転状態では、圧縮機１から吐出される高温高圧の蒸気冷媒が四方弁７を経由して凝縮器として機能する空調用熱交換器４に供給され、その空調用熱交換器４において蒸気冷媒が空調対象空間の空気との熱交換により熱を放出して凝縮液化する。
空調用熱交換器４から流出した液冷媒は膨張弁２を通過して減圧されたのち、蒸発器として機能する室外用熱交換器３に供給され、その室外用熱交換器３において液冷媒が外気から熱を奪って蒸発気化する。
室外用熱交換器３から流出した蒸気冷媒は、四方弁７を経由し、更にアキュムレータ８を通過して液分が除去されたのち圧縮機１に戻り、以降、同様の暖房運転用循環経路で冷媒が循環される。
【００３７】
本発明では、複数の冷媒回路Ｃが、異なる冷媒回路Ｃに備えられた室外用熱交換器３に冷媒を通流可能とする接続流路としての室外側接続流路Ｑにて連結されている。
そして、複数の冷媒回路Ｃの夫々において同一の冷媒回路Ｃの圧縮機１と室外用熱交換器３とにわたって冷媒を通流させる通常通流状態、及び、複数の圧縮機１のうちの一部の運転対象の圧縮機１と、その運転対象の圧縮機１が備えられた運転対象の冷媒回路Ｃの室外用熱交換器３及び運転対象の冷媒回路Ｃとは異なる全ての冷媒回路Ｃの室外用熱交換器３とにわたって冷媒を通流させる部分負荷通流状態に切り換え自在な通流状態切換手段として室外側通流状態切換部Ｓが設けられている。
更に、この第１実施形態では、室外側接続流路Ｑとして、複数の冷媒回路Ｃの夫々に備えられた室外側熱交換器３を直列状に接続する直列接続流路としての室外側直列接続流路Ｑｓが設けられ、室外側通流状態切換部Ｓが、部分負荷通流状態においては室外側直列接続流路Ｑｓを通して冷媒を通流させるように構成されている。
そして、前記制御部６が、定格運転状態においては、室外側通流状態切換部Ｓを通常通流状態に切り換え、部分負荷運転状態においては、室外側通流状態切換部Ｓを部分負荷通流状態に切り換えるように構成されている。
【００３８】
室外側直列接続流路Ｑｓ及び室外側通流状態切換部Ｓについて説明を加える。
この第１実施形態では、第１冷媒回路Ｃａの熱交換器間流路５ｅと第２冷媒回路Ｃｂの対室外用熱交換器流路５ｃとを連通接続する第３連通流路Ｐ３、及び、その流路を開閉する第３連通流路開閉弁Ｖ３が設けられている。
又、第２冷媒回路Ｃｂの対室外用熱交換器流路５ｃにおける第３連通流路Ｐ３の接続箇所よりも四方弁７側の箇所には、流路開閉用の対室外用熱交換器流路開閉弁Ｖｃが設けられ、更に、第２冷媒回路Ｃｂの対空調用熱交換器流路５ｄにおける複数の空調用熱交換器４に対する分岐箇所よりも四方弁７側の箇所には、流路開閉用の対空調用熱交換器流路開閉弁Ｖｄが設けられている。
つまり、この第１実施形態では、室外側直列接続流路Ｑｓが第３連通流路Ｐ３により構成され、室外側通流状態切換部Ｓが、第３連通流路開閉弁Ｖ３、各冷媒回路Ｃａ，Ｃｂの膨張弁２、並びに、第２冷媒回路Ｃｂの対室外用熱交換器流路開閉弁Ｖｃ及び対空調用熱交換器流路開閉弁Ｖｄにより構成されている。
【００３９】
次に、図１及び図２に基づいて、室外側通流状態切換部Ｓの通常通流状態及び部分負荷通流状態夫々における各弁の開閉作動状態について説明する。
尚、図１及び図２夫々、並びに、後述の他の実施形態を説明する図夫々において、開弁状態の弁を黒塗りで示し、閉弁状態の弁を白抜きで示し、又、運転状態の室内ユニットＵｉを斜線のハッチングで示し、停止状態の室内ユニットＵｉを白抜きで示す。
図１及び図２夫々の（ａ）に示すように、第３連通流路開閉弁Ｖ３を閉弁し、且つ、各冷媒回路Ｃの膨張弁２、並びに、第２冷媒回路Ｃｂの対室外用熱交換器流路開閉弁Ｖｃ及び対空調用熱交換器流路開閉弁Ｖｄを開弁すると、室外側通流状態切換部Ｓが通常通流状態に切り換えられる。
【００４０】
図１及び図２夫々の（ｂ）に示すように、部分負荷運転状態では、第１冷媒回路Ｃａの圧縮機１を運転対象とし、第３連通流路開閉弁Ｖ３、及び、第２冷媒回路Ｃｂの膨張弁２を開弁し、第１冷媒回路Ｃａの膨張弁２、並びに、第２冷媒回路Ｃｂの対室外用熱交換器流路開閉弁Ｖｃ及び対空調用熱交換器流路開閉弁Ｖｄを閉弁すると、室外側通流状態切換部Ｓが部分負荷通流状態に切り換えられる。
【００４１】
次に、図１及び図２に基づいて、室外側通流状態切換部Ｓが通常通流状態及び部分負荷通流状態の夫々に切り換えられたときの冷媒の通流形態について説明する。
【００４２】
冷媒回路Ｃが冷房運転状態に切り換えられた状態で、室外側通流状態切換部Ｓが通常通流状態に切り換えられると、図１の（ａ）に示すように、２台の冷媒回路Ｃａ，Ｃｂの夫々において独立して上述の冷房運転用循環経路で冷媒が循環する。
冷媒回路Ｃが冷房運転状態に切り換えられた状態で、室外側通流状態切換部Ｓが部分負荷通流状態に切り換えられると、冷媒は図１の（ｂ）に示すように通流する。即ち、第１冷媒回路Ｃａの圧縮機１から吐出された冷媒が第３連通流路Ｐ３により第１冷媒回路Ｃａの室外用熱交換器３、第２冷媒回路Ｃｂの室外用熱交換器３を順に通流したのち第２冷媒回路Ｃｂの熱交換器間流路５ｅを通流して、その第２冷媒回路Ｃｂの膨張弁２を通過し、更に、空調用熱交換器４を通過し、第１冷媒回路Ｃａの対空調用熱交換器流路５ｄ及び対圧縮機入口流路５ｂを通流して第１冷媒回路Ｃａの圧縮機１に戻る。
【００４３】
又、冷媒回路Ｃが暖房運転状態に切り換えられた状態で、室外側通流状態切換部Ｓが通常通流状態に切り換えられると、図２の（ａ）に示すように、２台の冷媒回路Ｃａ，Ｃｂの夫々において独立して上述の暖房運転用循環経路で冷媒が循環する。
冷媒回路Ｃが暖房運転状態に切り換えられた状態で、室外側通流状態切換部Ｓが部分負荷通流状態に切り換えられると、冷媒は図２の（ｂ）に示すように通流する。即ち、第１冷媒回路Ｃａの圧縮機１から吐出された冷媒が第１冷媒回路Ｃａの対空調用熱交換器流路５ｄを通流して、空調用熱交換器４を通過し、更に、第２冷媒回路Ｃｂの熱交換器間流路５ｅを通流して、その第２冷媒回路Ｃｂの膨張弁２を通過し、更に、第３連通流路Ｐ３により第２冷媒回路Ｃｂの室外用熱交換器３、第１冷媒回路Ｃａの室外用熱交換器３を順に通流したのち第１冷媒回路Ｃａの対室外用熱交換器流路５ｃ及び対圧縮機入口流路５ｂを通流して第１冷媒回路Ｃａの圧縮機１に戻る。
つまり、第３連通流路Ｐ３が、室外側直列接続流路Ｑｓに相当する。
【００４４】
次に、制御部６の制御動作について、説明を加える。
室内ユニットＵｉの運転台数が４台以上の場合は、制御部６は、運転状態を定格運転状態とし、並びに、室外側通流状態切換部Ｓを通常通流状態に切り換え、室内ユニットＵｉの運転台数が１〜３台の場合は、運転状態を部分負荷運転状態とし、並びに、室外側通流状態切換部Ｓを部分負荷通流状態に切り換える。
ここで、室外側通流状態切換部Ｓの通常通流状態と部分負荷運転状態との切り換えは、上述のように室内ユニットＵｉの運転台数に基づいて行う場合に限定されるものではない。例えば、マルチ型空調システム全体の空調負荷を検出して、その検出空調負荷に基づいて行っても良い。この場合、例えば、検出空調負荷が定格空調負荷の半分以上のときは通常通流状態に切り換え、検出空調負荷が半分よりも小さいときは部分負荷通流状態に切り換える。
【００４５】
以下、第２及び第３の各実施形態を説明するが、各実施形態は室外側接続流路Ｑ及び室外側通流状態切換部Ｓの別の実施形態を説明するものであって、マルチ型空調システムの構成は上記の第１実施形態と同様であるので、各実施形態では、マルチ型空調システムの構成の説明を省略する。
【００４６】
〔第２実施形態〕
以下、図３及び図４に基づいて、第２実施形態を説明する。
尚、図３は、マルチ型空調システムの全体構成、及び、冷房運転状態での第２部分負荷運転状態における冷媒の流れを示し、図４は、暖房運転状態での第２部分負荷運転状態における冷媒の流れを示す。
この第２実施形態では、上記の第１実施形態と同様に、室外側接続流路Ｑとして室外側直列接続流路Ｑｓが設けられて、室外側通流状態切換手段Ｓが、部分負荷通流状態においては室外側直列接続流路Ｑｓを通して冷媒を通流させるように構成されているが、それら室外側直列接続流路Ｑｓ及び室外側通流状態切換部Ｓの構成が第１実施形態と異なる。
つまり、第１実施形態における室外側直列接続流路Ｑｓの構成に加えて、第１冷媒回路Ｃａの対室外用熱交換器流路５ｃと第２冷媒回路Ｃｂの熱交換器間流路５ｅとを連通接続する第４連通流路Ｐ４が設けられ、第１実施形態における室外側通流状態切換部Ｓの構成に加えて、第４連通流路Ｐ４を開閉する第４連通流路開閉弁Ｖ４が設けられている。更に、第１冷媒回路Ｃａの対室外用熱交換器流路５ｃにおける第４連通流路Ｐ４の接続箇所よりも四方弁７側の箇所には、流路開閉用の対室外用熱交換器流路開閉弁Ｖｃが設けられ、第１冷媒回路Ｃａの対空調用熱交換器流路５ｄにおける複数の空調用熱交換器４に対する分岐箇所よりも四方弁７側の箇所には、流路開閉用の対空調用熱交換器流路開閉弁Ｖｄが設けられている。
つまり、この第２実施形態では、室外側直列接続流路Ｑｓが、第３連通流路Ｐ３及び第４連通流路Ｐ４により構成され、室外側通流状態切換部Ｓが、第３連通流路開閉弁Ｖ３及び第４連通流路開閉弁Ｖ４、並びに、各冷媒回路Ｃａ，Ｃｂの膨張弁２、対室外用熱交換器流路開閉弁Ｖｃ及び対空調用熱交換器流路開閉弁Ｖｄにより構成されている。
【００４７】
次に、室外側通流状態切換部Ｓの通常通流状態及び部分負荷通流状態夫々における各弁の開閉作動状態について説明する。
図示を省略するが、通常通流状態では、上記の第１実施形態における各弁の開閉作動に加えて、第４連通流路開閉弁Ｖ４を閉弁し、第１冷媒回路Ｃａの対室外用熱交換器流路開閉弁Ｖｃ及び対空調用熱交換器流路開閉弁Ｖｄを開弁する。
又、図示を省略するが、第１冷媒回路Ｃａの圧縮機１が運転対象となる場合は、上記の第１実施形態における各弁の開閉作動に加えて、第４連通流路開閉弁Ｖ４を閉弁し、第１冷媒回路Ｃａの対室外用熱交換器流路開閉弁Ｖｃ及び対空調用熱交換器流路開閉弁Ｖｄを開弁すると、室外側通流状態切換部Ｓが第１部分負荷通流状態に切り換えられる。
【００４８】
図３及び図４に示すように、第２冷媒回路Ｃｂの圧縮機１が運転対象となる場合は、第４連通流路開閉弁Ｖ４を開弁し、第３連通流路開閉弁Ｖ３を閉弁し、第１冷媒回路Ｃａの膨張弁２を開弁し、第２冷媒回路Ｃｂの膨張弁２を閉弁し、第２冷媒回路Ｃｂの対室外用熱交換器流路開閉弁Ｖｃ及び対空調用熱交換器流路開閉弁Ｖｄを開弁し、第１冷媒回路Ｃａの対室外用熱交換器流路開閉弁Ｖｃ及び対空調用熱交換器流路開閉弁Ｖｄを閉弁すると、室外側通流状態切換部Ｓが第２部分負荷通流状態に切り換えられる。
【００４９】
次に、室外側通流状態切換部Ｓが部分負荷通流状態に切り換えられたときの冷媒の通流形態について説明する。
図示を省略するが、冷媒回路Ｃが冷房運転状態に切り換えられた状態で、室外側通流状態切換部Ｓが第１部分負荷通流状態に切り換えられると、冷媒は上記の第１実施形態において図１の（ｂ）を用いて説明したのと同様の形態で通流する。
又、図示を省略するが、冷媒回路Ｃが暖房運転状態に切り換えられた状態で、室外側通流状態切換部Ｓが第１部分負荷通流状態に切り換えられると、冷媒は上記の第１実施形態において図２の（ｂ）を用いて説明したのと同様の形態で通流する。
【００５０】
冷媒回路Ｃが冷房運転状態に切り換えられた状態で、室外側通流状態切換部Ｓが第２部分負荷通流状態に切り換えられると、冷媒は図３に示すように通流する。即ち、第２冷媒回路Ｃｂの圧縮機１から吐出された冷媒が第４連通流路Ｐ４により第２冷媒回路Ｃｂの室外用熱交換器３、第１冷媒回路Ｃａの室外用熱交換器３を順に通流したのち第１冷媒回路Ｃａの熱交換器間流路５ｅを通流して、その第１冷媒回路Ｃａの膨張弁２を通過し、更に、空調用熱交換器４を通過し、第２冷媒回路Ｃｂの対空調用熱交換器流路５ｄ及び対圧縮機入口流路５ｂを通流して第２冷媒回路Ｃｂの圧縮機１に戻る。
【００５１】
又、冷媒回路Ｃが暖房運転状態に切り換えられた状態で、室外側通流状態切換部Ｓが第２部分負荷通流状態に切り換えられると、冷媒は図４に示すように通流する。即ち、第２冷媒回路Ｃｂの圧縮機１から吐出された冷媒が第２冷媒回路Ｃｂの対空調用熱交換器流路５ｄを通流して、空調用熱交換器４を通過し、更に、第１冷媒回路Ｃａの熱交換器間流路５ｅを通流して、その第１冷媒回路Ｃａの膨張弁２を通過し、更に、第４連通流路Ｐ４により第１冷媒回路Ｃａの室外用熱交換器３、第２冷媒回路Ｃｂの室外用熱交換器３を順に通流したのち第２冷媒回路Ｃｂの対室外用熱交換器流路５ｃ及び対圧縮機入口流路５ｂを通流して第２冷媒回路Ｃｂの圧縮機１に戻る。
【００５２】
次に、制御部６の制御動作について、説明を加える。
室内ユニットＵｉの運転台数が４台以上の場合は、制御部６は、運転状態を定格運転状態とし、並びに、室外側通流状態切換部Ｓを通常通流状態に切り換え、室内ユニットＵｉの運転台数が１〜３台の場合は、運転状態を部分負荷運転状態とし、並びに、室外側通流状態切換部Ｓを部分負荷通流状態に切り換える。
又、制御部６は、部分負荷運転状態においては、複数の冷媒回路Ｃの圧縮機１の積算運転時間を均等化すべく、運転対象の圧縮機１を複数の冷媒回路Ｃの圧縮機１から選択して設定し、並びに、そのように設定した運転対象の圧縮機１に応じて第１及び第２のうちのいずれかの部分負荷通流状態に切り換えるように、室外側通流状態切換部Ｓの作動を制御する。
つまり、制御部６が、部分負荷運転状態において運転対象の圧縮機１を変更設定自在に構成され、室外側通流状態切換部Ｓが、変更設定される運転対象の圧縮機１を備えた冷媒回路Ｃを運転対象の冷媒回路Ｃとして部分負荷通流状態に切り換え自在に構成されている。
【００５３】
〔第３実施形態〕
以下、図５〜図８に基づいて、第３実施形態を説明する。
尚、図５は、マルチ型空調システムの全体構成、及び、冷媒回路Ｃを冷房運転状態に切り換えた状態での冷媒の流れを示し、図６は、冷媒回路Ｃを暖房運転状態に切り換えた状態での冷媒の流れを示し、更に、図５及び図６夫々において、（ａ）は定格運転状態での冷媒の流れを示し、（ｂ）は単一膨張弁通過形態の第１部分負荷運転状態での冷媒の流れを示す。
又、図７は、冷房運転状態での複数膨張弁通過形態の第１部分負荷運転状態における冷媒の流れを示し、図８は、暖房運転状態での複数膨張弁通過形態の第１部分負荷運転状態における冷媒の流れを示す。
【００５４】
この第３実施形態では、室外側接続流路Ｑとして、複数の冷媒回路Ｃの夫々に備えられた室外側熱交換器３を並列状に接続する並列接続流路としての室外側並列接続流路Ｑｐが設けられ、室外側通流状態切換部Ｓが、部分負荷通流状態においては室外側並列接続流路Ｑｐを通して冷媒を通流させるように構成されている。
又、複数の冷媒回路Ｃが、異なる冷媒回路Ｃに備えられた膨張弁２に冷媒を通流可能とする膨張弁用接続流路Ｑｂにて連結されており、室外側通流状態切換部Ｓが、部分負荷通流状態において、冷媒を通流させる膨張弁２の数を変更自在に構成されている。
そして、制御部６が、定格運転状態においては、室外側通流状態切換部Ｓを通常通流状態に切り換え、部分負荷運転状態においては、室外側通流状態切換部Ｓを部分負荷通流状態に切り換えると共に、空調負荷に応じて冷媒を通流させる膨張弁２の数を変更すべく室外側通流状態切換部Ｓを作動させるように構成されている。
【００５５】
室外側並列接続流路Ｑｐ及び室外側通流状態切換部Ｓについて説明を加える。
この第３実施形態では、複数（この第３実施形態では２台）の冷媒回路Ｃ夫々の対室外用熱交換器流路５ｃを連通接続する第１連通流路Ｐ１、及び、複数の冷媒回路Ｃ夫々の熱交換器間流路５ｅにおける膨張弁２よりも室外用熱交換器３側の部分を連通接続する第２連通流路Ｐ２が設けられ、第１連通流路Ｐ１、第２連通流路Ｐ２には、それぞれ流路開閉用として第１連通流路開閉弁Ｖ１、第２連通流路開閉弁Ｖ２が設けられている。
又、各冷媒回路Ｃの対室外用熱交換器流路５ｃにおける第１連通流路Ｐ１の接続箇所よりも四方弁７側の箇所には、流路開閉用の対室外用熱交換器流路開閉弁Ｖｃが設けられ、更に、各冷媒回路Ｃの対空調用熱交換器流路５ｄにおける複数の空調用熱交換器４に対する分岐箇所よりも四方弁７側の箇所には、流路開閉用の対空調用熱交換器流路開閉弁Ｖｄが設けられている。
そして、室外側並列接続流路Ｑｐが、第１連通流路Ｐ１及び第２連通流路Ｐ２により構成され、室外側通流状態切換部Ｓが、第１連通流路開閉弁Ｖ１及び第２連通流路開閉弁Ｖ２、並びに、各冷媒回路Ｃａ，Ｃｂの膨張弁２、対室外用熱交換器流路開閉弁Ｖｃ及び対空調用熱交換器流路開閉弁Ｖｄにより構成されている。
【００５６】
次に、図５及び図６に基づいて、室外側通流状態切換部Ｓの通常通流状態及び部分負荷通流状態夫々における各弁の開閉作動状態について説明する。
図５及び図６夫々の（ａ）に示すように、第１連通流路開閉弁Ｖ１及び第２連通流路開閉弁Ｖ２を閉弁し、且つ、各冷媒回路Ｃの膨張弁２、対室外用熱交換器流路開閉弁Ｖｃ及び対空調用熱交換器流路開閉弁Ｖｄを開弁すると、室外側通流状態切換部Ｓが通常通流状態に切り換えられる。
【００５７】
図５及び図６夫々の（ｂ）に示すように、第１冷媒回路Ｃａの圧縮機１が運転対象となる場合は、第１連通流路開閉弁Ｖ１及び第２連通流路開閉弁Ｖ２を開弁し、第１冷媒回路Ｃａの膨張弁２、対室外用熱交換器流路開閉弁Ｖｃ及び対空調用熱交換器流路開閉弁Ｖｄを開弁し、第２冷媒回路Ｃｂの膨張弁２、対室外用熱交換器流路開閉弁Ｖｃ及び対空調用熱交換器流路開閉弁Ｖｄを閉弁すると、室外側通流状態切換部Ｓが単一膨張弁通過形態の第１部分負荷通流状態に切り換えられる。
又、図示を省略するが、第２冷媒回路Ｃｂの圧縮機１が運転対象となる場合は、第１連通流路開閉弁Ｖ１及び第２連通流路開閉弁Ｖ２を開弁し、第２冷媒回路Ｃｂの膨張弁２、対室外用熱交換器流路開閉弁Ｖｃ及び対空調用熱交換器流路開閉弁Ｖｄを開弁し、第１冷媒回路Ｃａの膨張弁２、対室外用熱交換器流路開閉弁Ｖｃ及び対空調用熱交換器流路開閉弁Ｖｄを閉弁すると、室外側通流状態切換部Ｓが単一膨張弁通過形態の第２部分負荷通流状態に切り換えられる。
【００５８】
図７及び図８に示すように、上記の単一膨張弁通過形態の第１部分負荷通流状態及び第２部分負荷通流状態夫々において、第２連通流路開閉弁Ｖ２を閉じ、且つ、２台の冷媒回路Ｃ夫々の膨張弁２を開弁すると、２台の冷媒回路Ｃ夫々の膨張弁２を通過させる状態で冷媒を通流させる複数膨張弁通過形態の第１部分負荷通流状態及び第２部分負荷通流状態とすることができる。つまり、上述したように、室外側通流状態切換部Ｓが、部分負荷通流状態において、冷媒を通流させる膨張弁２の数を変更自在に構成されていることになる。
【００５９】
次に、図５及び図６に基づいて、室外側通流状態切換部Ｓが単一膨張弁通過形態の部分負荷通流状態に切り換えられたときの冷媒の通流形態について説明する。
冷媒回路Ｃが冷房運転状態に切り換えられた状態で、室外側通流状態切換部Ｓが単一膨張弁通過形態の第１部分負荷通流状態に切り換えられると、冷媒は図５の（ｂ）に示すように通流する。即ち、第１冷媒回路Ｃａの圧縮機１から吐出された冷媒が第１連通流路Ｐ１により第１及び第２冷媒回路Ｃａ，Ｃｂ夫々の室外用熱交換器３を並行して通流したのち第２連通流路Ｐ２により第１冷媒回路Ｃａの熱交換器間流路５ｅに合流して、その第１冷媒回路Ｃａの膨張弁２を通過し、更に、空調用熱交換器４を通過し、第１冷媒回路Ｃａの対空調用熱交換器流路５ｄ及び対圧縮機入口流路５ｂを通流して第１冷媒回路Ｃａの圧縮機１に戻る。
図示を省略するが、冷媒回路Ｃが冷房運転状態に切り換えられた状態で、室外側通流状態切換部Ｓが単一膨張弁通過形態の第２部分負荷通流状態に切り換えられると、第２冷媒回路Ｃｂの圧縮機１から吐出された冷媒が第１連通流路Ｐ１により第１及び第２冷媒回路Ｃａ，Ｃｂ夫々の室外用熱交換器３を並行して通流したのち第２連通流路Ｐ２により第２冷媒回路Ｃｂの熱交換器間流路５ｅに合流して、その第２冷媒回路Ｃｂの膨張弁２を通過し、更に、空調用熱交換器４を通過し、第２冷媒回路Ｃｂの対空調用熱交換器流路５ｄ及び対圧縮機入口流路５ｂを通流して第２冷媒回路Ｃｂの圧縮機１に戻る。
【００６０】
冷媒回路Ｃが暖房運転状態に切り換えられた状態で、室外側通流状態切換部Ｓが単一膨張弁通過形態の第１部分負荷通流状態に切り換えられると、冷媒は図６の（ｂ）に示すように通流する。即ち、第１冷媒回路Ｃａの圧縮機１から吐出された冷媒が第１冷媒回路Ｃａの対空調用熱交換器流路５ｄを通流して、空調用熱交換器４を通過し、更に、第１冷媒回路Ｃａの熱交換器間流路５ｅを通流して、その第１冷媒回路Ｃａの膨張弁２を通過し、更に、第２連通流路Ｐ２により第１及び第２冷媒回路Ｃａ，Ｃｂ夫々の室外用熱交換器３を並行して通流したのち第１連通流路Ｐ１により第１冷媒回路Ｃａの対室外用熱交換器流路５ｃに合流し、その第１冷媒回路Ｃａの対圧縮機入口流路５ｂを通流して第１冷媒回路Ｃａの圧縮機１に戻る。
図示を省略するが、冷媒回路Ｃが暖房運転状態に切り換えられた状態で、室外側通流状態切換部Ｓが単一膨張弁通過形態の第２部分負荷通流状態に切り換えられると、第２冷媒回路Ｃｂの圧縮機１から吐出された冷媒が第２冷媒回路Ｃｂの対空調用熱交換器流路５ｄを通流して、空調用熱交換器４を通過し、更に、第２冷媒回路Ｃｂの熱交換器間流路５ｅを通流して、その第２冷媒回路Ｃｂの膨張弁２を通過し、更に、第２連通流路Ｐ２により第１及び第２冷媒回路Ｃａ，Ｃｂ夫々の室外用熱交換器３を並行して通流したのち第１連通流路Ｐ１により第２冷媒回路Ｃｂの対室外用熱交換器流路５ｃに合流し、その第２冷媒回路Ｃｂの対圧縮機入口流路５ｂを通流して第２冷媒回路Ｃｂの圧縮機１に戻る。
【００６１】
次に、図７及び図８に基づいて、室外側通流状態切換部Ｓが複数膨張弁通過形態の部分負荷通流状態に切り換えられたときの冷媒の通流形態について説明する。
例えば、冷媒回路Ｃが冷房運転状態に切り換えられた状態で、室外側通流状態切換部Ｓが複数膨張弁通過形態の第１部分負荷通流状態に切り換えられると、冷媒は図７に示すように通流する。即ち、単一膨張弁通過形態の場合と同様に第１連通流路Ｐ１により第１及び第２冷媒回路Ｃａ，Ｃｂ夫々の室外用熱交換器３を並行して通流した冷媒は、そのまま第１及び第２冷媒回路Ｃａ，Ｃｂ夫々の熱交換器間流路５ｅに並行して通流して第１及び第２冷媒回路Ｃａ，Ｃｂ夫々の膨張弁２を並行して通過し、以降、単一膨張弁通過形態の場合と同様に通流する。
又、冷媒回路Ｃが暖房運転状態に切り換えられた状態で、室外側通流状態切換部Ｓが複数膨張弁通過形態の第１部分負荷通流状態に切り換えられると、冷媒は図８に示すように通流する。即ち、単一膨張弁通過形態の場合と同様に空調用熱交換器４を通過した冷媒は、第１及び第２冷媒回路Ｃａ，Ｃｂ夫々の熱交換器間流路５ｅに並行して通流して第１及び第２冷媒回路Ｃａ，Ｃｂ夫々の膨張弁２を並行して通過し、そのまま、第１及び第２冷媒回路Ｃａ，Ｃｂ夫々の室外用熱交換器３を並行して通流し、以降、単一膨張弁通過形態の場合と同様に通流する。
【００６２】
冷媒回路Ｃが冷房運転状態に切り換えられた状態においては、第１連通流路Ｐ１が、複数の冷媒回路Ｃの夫々に備えられた室外用熱交換器３を並列状に接続する並列状接続流路としての室外側並列接続流路Ｑｐとして機能し、第２連通流路Ｐ２が、異なる冷媒回路Ｃに備えられた膨張弁２に冷媒を通流可能とする膨張弁用接続流路Ｑｂとして機能する。
又、冷媒回路Ｃが暖房運転状態に切り換えられた状態においては、第１連通流路Ｐ１及び第２連通流路Ｐ２が室外側並列接続流路Ｑｐとして機能する。
【００６３】
次に、制御部６の制御動作について、説明を加える。
制御部６は、室内ユニットＵｉの運転台数が４台以上の場合は、運転状態を定格運転状態とし、並びに、室外側通流状態切換部Ｓを通常通流状態に切り換える。又、制御部６は、室内ユニットＵｉの運転台数が３台の場合は、運転状態を部分負荷運転状態とし、並びに、室外側通流状態切換部Ｓを複数膨張弁通過形態の第１又は第２部分負荷通流状態に切り換え、室内ユニットＵｉの運転台数が１又は２台の場合は、運転状態を部分負荷運転状態とし、並びに、室外側通流状態切換部Ｓを単一膨張弁通過形態の第１又は第２部分負荷通流状態に切り換える。
又、制御部６は、部分負荷運転状態においては、複数の冷媒回路Ｃの圧縮機１の積算運転時間を均等化すべく、運転対象の圧縮機１を複数の冷媒回路Ｃの圧縮機１から選択して設定し、並びに、そのように設定した運転対象の圧縮機１に応じて第１及び第２のうちのいずれかの部分負荷通流状態に切り換えるように、室外側通流状態切換部Ｓの作動を制御する。
つまり、制御部６が、部分負荷運転状態において運転対象の圧縮機１を変更設定自在に構成され、室外側通流状態切換部Ｓが、変更設定される運転対象の圧縮機１を備えた冷媒回路Ｃを運転対象の冷媒回路Ｃとして部分負荷通流状態に切り換え自在に構成されている。
【００６４】
〔第４実施形態〕
以下、図９〜図１２に基づいて、第４実施形態を説明する。
尚、図９は、マルチ型空調システムの全体構成、及び、冷媒回路Ｃを冷房運転状態に切り換えた状態での冷媒の流れを示し、図１０は、冷媒回路Ｃを暖房運転状態に切り換えた状態での冷媒の流れを示し、更に、図９及び図１０夫々において、（ａ）は定格運転状態での冷媒の流れを示し、（ｂ）は単一膨張弁通過形態の第１部分負荷運転状態での冷媒の流れを示す。
又、図１１は、冷房運転状態での複数膨張弁通過形態の第１部分負荷運転状態における冷媒の流れを示し、図１２は、暖房運転状態での複数膨張弁通過形態の第１部分負荷運転状態における冷媒の流れを示す。
【００６５】
図９及び図１０に示すように、この第４実施形態においても、上記の第１実施形態と同様に、マルチ型空調システムには冷媒回路Ｃが２台設けられているが、各冷媒回路Ｃにおいて室外用熱交換器３と空調用熱交換器４との接続形態が第１実施形態と異なる。
つまり、この第４実施形態では、２台の冷媒回路Ｃ夫々が、各冷媒回路Ｃ専用の室外用熱交換器３と各冷媒回路Ｃ専用の空調用熱交換器４とを接続して構成されている。
２台の冷媒回路Ｃの空調用熱交換器４夫々が、空調対象空間に設置される室内用熱交換１２に循環される熱搬送用流体と冷媒とを熱交換させるように構成されている。
ちなみに、第４実施形態では、室内用熱交換１２が冷媒回路Ｃの設置台数よりも多い６台設けられ、それら６台の室内用熱交換器１２が流体往き路１３及び流体戻り路１４により並列状に各冷媒回路Ｃの空調用熱交換器４に接続されている。
【００６６】
圧縮機１、アキュムレータ８、膨張弁２、室外用熱交換器３及び空調用熱交換器４が１台ずつ設けられて、室外ユニットＵｅが構成されている。つまり、室外ユニットＵｅが２台設けられている。図示を省略するが、各室外ユニットＵｅには、室外用熱交換器３を通流する冷媒と熱交換させるために外気を室外用熱交換器３に通風する外気用通風機が設けられている。
６台の室内用熱交換器１２が１台ずつ室内ユニットＵｉに設けられている。図示を省略するが、各室内ユニットＵｉには、空調対象空間内の空気を室内用熱交換器１２に通風したのち空調対象空間に戻すように通風作用する空調用送風機、及び、室内ユニットＵｉの運転及び停止等を指令するリモートコントローラ等が設けられている。つまり、６台の室内ユニットＵｉは、夫々のリモートコントローラにより各別に運転及び停止が可能である。
【００６７】
この第４実施形態では、上記の第３実施形態と同様に、室外側並列接続流路Ｑｐ及び室外側通流状態切換部Ｓが設けられている。
つまり、この第４実施形態でも、第３実施形態と同様に、室外側接続流路Ｑとして室外側並列接続流路Ｑｐが設けられ、室外側通流状態切換部Ｓが、部分負荷通流状態においては室外側並列接続流路Ｑｐを通して冷媒を通流させるように構成されている。
又、複数の冷媒回路Ｃが、異なる冷媒回路Ｃに備えられた膨張弁２に冷媒を通流可能とする膨張弁用接続流路Ｑｂにて連結されており、室外側通流状態切換部Ｓが、部分負荷通流状態において、冷媒を通流させる膨張弁２の数を変更自在に構成されている。
そして、制御部６が、定格運転状態においては、室外側通流状態切換部Ｓを通常通流状態に切り換え、部分負荷運転状態においては、室外側通流状態切換部Ｓを部分負荷通流状態に切り換えると共に、空調負荷に応じて冷媒を通流させる膨張弁２の数を変更すべく室外側通流状態切換部Ｓを作動させるように構成されている。
【００６８】
更に、複数の冷媒回路Ｃが、異なる冷媒回路Ｃに備えられた空調用熱交換器４に冷媒を通流可能とする空調側接続流路Ｒにて連結されており、複数の冷媒回路Ｃの夫々において同一の冷媒回路Ｃの圧縮機１と空調用熱交換器４とにわたって冷媒を通流させる通常通流状態、及び、複数の圧縮機１のうちの運転対象の圧縮機１と、その運転対象の圧縮機１が備えられた運転対象の冷媒回路Ｃの空調用熱交換器４及び運転対象の冷媒回路Ｃとは異なる全ての冷媒回路Ｃの空調用熱交換器４とにわたって冷媒を通流させる部分負荷通流状態に切り換え自在な空調側通流状態切換手段としての空調側通流状態切換部Ｔが設けられている。
そして、制御部６が、定格運転状態においては、室外側通流状態切換部Ｓ及び空調側通流状態切換部Ｔ夫々を通常通流状態に切り換え、部分負荷運転状態においては、室外側通流状態切換部Ｓ及び空調側通流状態切換部Ｔ夫々を部分負荷通流状態に切り換えるように構成されている。
【００６９】
室外側並列接続流路Ｑｐは、第３実施形態と同様の構成であり、第１連通流路Ｐ１及び第２連通流路Ｐ２により構成され、室外側通流状態切換部Ｓも、第３実施形態と同様の構成であり、第１連通流路開閉弁Ｖ１及び第２連通流路開閉弁Ｖ２、並びに、各冷媒回路Ｃａ，Ｃｂの膨張弁２、対室外用熱交換器流路開閉弁Ｖｃ及び対空調用熱交換器流路開閉弁Ｖｄにより構成されている。
【００７０】
空調側接続流路Ｒ及び空調側通流状態切換部Ｔについて説明を加える。
この第４実施形態では、複数（この第４実施形態では２台）の冷媒回路Ｃ夫々の対空調用熱交換器流路５ｄにおける対空調用熱交換器流路開閉弁Ｖｄよりも空調用熱交換器４側の部分を連通接続する第５連通流路Ｐ５、及び、複数の冷媒回路Ｃ夫々の熱交換器間流路５ｅにおける膨張弁２よりも空調用熱交換器４側の部分を連通接続する第６連通流路Ｐ６が設けられ、第５連通流路Ｐ５、第６連通流路Ｐ６には、それぞれ流路開閉用として第５連通流路開閉弁Ｖ５、第６連通流路開閉弁Ｖ６が設けられている。
そして、空調側接続流路Ｒが、第５連通流路Ｐ５及び第６連通流路Ｐ６により構成され、空調側通流状態切換部Ｔが、第５連通流路開閉弁Ｖ５及び第６連通流路開閉弁Ｖ６により構成されている。
【００７１】
次に、図９〜図１２に基づいて、空調側通流状態切換部Ｔの通常通流状態及び部分負荷通流状態夫々における各弁の開閉作動状態について説明する。
図９及び図１０夫々の（ａ）に示すように、第５連通流路開閉弁Ｖ５及び第６連通流路開閉弁Ｖ６を閉弁すると、空調側通流状態切換部Ｔが通常通流状態に切り換えられる。
又、図９及び図１０夫々の（ｂ）に示すように、第５連通流路開閉弁Ｖ５及び第６連通流路開閉弁Ｖ６を開弁すると、空調側通流状態切換部Ｔが単一膨張弁通過形態の部分負荷通流状態に切り換えられる。又、図１１及び図１２に示すように、第５連通流路開閉弁Ｖ５を開弁し且つ第６連通流路開閉弁Ｖ６を閉弁すると、空調側通流状態切換部Ｔが複数膨張弁通過形態の部分負荷通流状態に切り換えられる。
尚、室外側通流状態切換部Ｓは、第３実施形態と同様に各弁を開閉作動させて、単一膨張弁通過形態の第１部分負荷通流状態、単一膨張弁通過形態の第２部分負荷通流状態、複数膨張弁通過形態の第１部分負荷通流状態、複数膨張弁通過形態の第２部分負荷通流状態のいずれかに切り換えられる。
そして、そのように室外側通流状態切換部Ｓが単一膨張弁通過形態の第１部分負荷通流状態及び第２部分負荷通流状態のいずれかに切り換えられるときは、空調側通流状態切換部Ｔが単一膨張弁通過形態の部分負荷通流状態に切り換えられ、室外側通流状態切換部Ｓが複数膨張弁通過形態の第１部分負荷通流状態及び第２部分負荷通流状態のいずれかに切り換えられるときは、室外側通流状態切換部Ｓが複数膨張弁通過形態の部分負荷通流状態に切り換えられる。
【００７２】
次に、室外側通流状態切換部Ｓ及び空調側通流状態切換部Ｔが部分負荷通流状態に切り換えられたときの冷媒の通流形態について説明する。
尚、部分負荷通流状態での冷媒の通流形態は、複数の冷媒回路Ｃの空調用熱交換器４を通過するときの通流形態が異なる以外は第３実施形態と同様であるので、第３実施形態と同様の形態で通流する部分の説明を省略する。
冷媒回路Ｃが冷房運転状態に切り換えられた状態で、室外側通流状態切換部Ｓが単一膨張弁通過形態の第１部分負荷通流状態に切り換えられ且つ空調側通流状態切換部Ｔが単一膨張弁通過形態の部分負荷通流状態に切り換えられたときの冷媒の通流形態は、図９の（ｂ）に示す通りである。
つまり、第３実施形態の単一膨張弁通過形態の場合と同様に第１冷媒回路Ｃａの膨張弁２を通過した冷媒は、第５連通流路Ｐ５及び第６連通流路Ｐ６により第１及び第２冷媒回路Ｃａ，Ｃｂ夫々の空調用熱交換器４を並行して通流したのち、第１冷媒回路Ｃａの対空調用熱交換器流路５ｄに合流し、以降、第３実施形態の単一膨張弁通過形態の場合と同様に通流する。
冷媒回路Ｃが冷房運転状態に切り換えられた状態で、室外側通流状態切換部Ｓが単一膨張弁通過形態の第２部分負荷通流状態に切り換えられ且つ空調側通流状態切換部Ｔが単一膨張弁通過形態の部分負荷通流状態に切り換えられたときは、図示を省略するが、第３実施形態の単一膨張弁通過形態の場合と同様に第２冷媒回路Ｃｂの膨張弁２を通過した冷媒は、第５連通流路Ｐ５及び第６連通流路Ｐ６により第１及び第２冷媒回路Ｃａ，Ｃｂ夫々の空調用熱交換器４を並行して通流したのち、第２冷媒回路Ｃｂの対空調用熱交換器流路５ｄに合流し、以降、第３実施形態の単一膨張弁通過形態の場合と同様に通流する。
【００７３】
冷媒回路Ｃが冷房運転状態に切り換えられた状態で、室外側通流状態切換部Ｓが複数膨張弁通過形態の第１部分負荷通流状態に切り換えられ且つ空調側通流状態切換部Ｔが複数膨張弁通過形態の部分負荷通流状態に切り換えられたときは、冷媒は図１１に示すように通流する。即ち、第３実施形態の複数膨張弁通過形態の場合と同様に第１及び第２冷媒回路Ｃａ，Ｃｂ夫々の熱交換器間流路５ｅを並行して通流して第１及び第２冷媒回路Ｃａ，Ｃｂ夫々の膨張弁２を並行して通過した冷媒は、そのまま第１及び第２冷媒回路Ｃａ，Ｃｂ夫々の空調用熱交換器４を並行して通流したのち、第５連通流路Ｐ５により第１冷媒回路Ｃａの対空調用熱交換器流路５ｄに合流し、以降、上記の単一膨張弁通過形態の場合と同様に通流する。
又、冷媒回路Ｃが冷房運転状態に切り換えられた状態で、室外側通流状態切換部Ｓが複数膨張弁通過形態の第２部分負荷通流状態に切り換えられ且つ空調側通流状態切換部Ｔが複数膨張弁通過形態の部分負荷通流状態に切り換えられたときは、図示を省略するが、第３実施形態の複数膨張弁通過形態の場合と同様に第１及び第２冷媒回路Ｃａ，Ｃｂ夫々の熱交換器間流路５ｅを並行して通流して第１及び第２冷媒回路Ｃａ，Ｃｂ夫々の膨張弁２を並行して通過した冷媒は、そのまま第１及び第２冷媒回路Ｃａ，Ｃｂ夫々の空調用熱交換器４を並行して通流したのち、第５連通流路Ｐ５により第２冷媒回路Ｃｂの対空調用熱交換器流路５ｄに合流し、以降、上記の単一膨張弁通過形態の場合と同様に通流する。
【００７４】
冷媒回路Ｃが暖房運転状態に切り換えられた状態で、室外側通流状態切換部Ｓが単一膨張弁通過形態の第１部分負荷通流状態に切り換えられ且つ空調側通流状態切換部Ｔが単一膨張弁通過形態の部分負荷通流状態に切り換えられたときの冷媒の通流形態は、図１０の（ｂ）に示す通りである。
つまり、第３実施形態の単一膨張弁通過形態の場合と同様に第１冷媒回路Ｃａの対空調用熱交換器流路５ｄを通流する冷媒は、第５連通流路Ｐ５及び第６連通流路Ｐ６により第１及び第２冷媒回路Ｃａ，Ｃｂ夫々の空調用熱交換器４を並行して通流したのち、第１冷媒回路Ｃａの熱交換器間流路５ｅに合流し、以降、第３実施形態の単一膨張弁通過形態の場合と同様に通流する。
冷媒回路Ｃが暖房運転状態に切り換えられた状態で、室外側通流状態切換部Ｓが単一膨張弁通過形態の第２部分負荷通流状態に切り換えられ且つ空調側通流状態切換部Ｔが単一膨張弁通過形態の部分負荷通流状態に切り換えられたときは、図示を省略するが、第３実施形態の単一膨張弁通過形態の場合と同様に第２冷媒回路Ｃｂの対空調用熱交換器流路５ｄを通流する冷媒は、第５連通流路Ｐ５及び第６連通流路Ｐ６により第１及び第２冷媒回路Ｃａ，Ｃｂ夫々の空調用熱交換器４を並行して通流したのち、第２冷媒回路Ｃｂの熱交換器間流路５ｅに合流し、以降、第３実施形態の単一膨張弁通過形態の場合と同様に通流する。
【００７５】
冷媒回路Ｃが暖房運転状態に切り換えられた状態で、室外側通流状態切換部Ｓが複数膨張弁通過形態の第１部分負荷通流状態に切り換えられ且つ空調側通流状態切換部Ｔが複数膨張弁通過形態の部分負荷通流状態に切り換えられたときは、冷媒は図１２に示すように通流する。即ち、上記の単数膨張弁通過形態の場合と同様に第１冷媒回路Ｃａの対空調用熱交換器流路５ｄを通流する冷媒は、第５連通流路Ｐ５により第１及び第２冷媒回路Ｃａ，Ｃｂ夫々の空調用熱交換器４を並行して通流した後、そのまま、第１及び第２冷媒回路Ｃａ，Ｃｂ夫々の熱交換器間流路５ｅを並行して通流し、以降、第３実施形態の複数膨張弁通過形態の場合と同様に通流する。
冷媒回路Ｃが暖房運転状態に切り換えられた状態で、室外側通流状態切換部Ｓが複数膨張弁通過形態の第２部分負荷通流状態に切り換えられ且つ空調側通流状態切換部Ｔが複数膨張弁通過形態の部分負荷通流状態に切り換えられたときは、図示を省略するが、上記の単数膨張弁通過形態の場合と同様に第２冷媒回路Ｃｂの対空調用熱交換器流路５ｄを通流する冷媒は、第５連通流路Ｐ５により第１及び第２冷媒回路Ｃａ，Ｃｂ夫々の空調用熱交換器４を並行して通流した後、そのまま、第１及び第２冷媒回路Ｃａ，Ｃｂ夫々の熱交換器間流路５ｅを並行して通流し、以降、第３実施形態の複数膨張弁通過形態の場合と同様に通流する。
【００７６】
つまり、第５連通流路Ｐ５及び第６連通流路Ｐ６が、複数の冷媒回路Ｃの夫々に備えられた空調用熱交換器４を並列状に接続する空調側並列接続流路Ｒｐとして機能し、空調側通流状態切換部Ｔが、部分負荷通流状態においては空調側並列接続流路Ｒｐを通して冷媒を通流させるように構成されていることになる。
【００７７】
次に、制御部６の制御動作について、説明を加える。
制御部６は、室内ユニットＵｉの運転台数に応じて、上記の第３実施形態と同様に室外側通流状態切換部Ｓを切り換える。又、制御部６は、室外側通流状態切換部Ｓを通常通流状態に切り換えたときは、空調側通流状態切換部Ｔを通常通流状態に切り換え、室外側通流状態切換部Ｓを複数膨張弁通過形態の第１又は第２部分負荷通流状態に切り換えたときは、空調側通流状態切換部Ｔを複数膨張弁通過形態の部分負荷通流状態に切り換え、室外側通流状態切換部Ｓを単一膨張弁通過形態の第１又は第２部分負荷通流状態に切り換えたときは、空調側通流状態切換部Ｔを単一膨張弁通過形態の部分負荷通流状態に切り換える。
又、上記の第３実施形態と同様に、制御部６は、部分負荷運転状態においては、複数の冷媒回路Ｃの圧縮機１の積算運転時間を均等化すべく、運転対象の圧縮機１を複数の冷媒回路Ｃの圧縮機１から選択して設定し、そのように設定した運転対象の圧縮機１に応じて第１及び第２のうちのいずれかの部分負荷通流状態に切り換えるように室外側通流状態切換部Ｓの作動を制御し、並びに、空調側通流状態切換部Ｔを部分負荷通流状態に切り換える。
つまり、制御部６が、部分負荷運転状態において運転対象の圧縮機１を変更設定自在に構成され、室外側通流状態切換部Ｓが、変更設定される運転対象の圧縮機１を備えた冷媒回路Ｃを運転対象の冷媒回路Ｃとして部分負荷通流状態に切り換え自在に構成されている。
【００７８】
以下、第５〜第８実施形態を説明するが、各実施形態は、マルチ型空調システムの構成は上記の第４実施形態と同様であり、又、その第４実施形態と同様に室外側接続流路Ｑ及び室外側通流状態切換部Ｓの組み合わせ、並びに、空調側接続流路Ｒ及び空調側通流状態切換部Ｔの組み合わせが設けられているが、それら２つの組み合わせのうちの少なくとも一方が上記の第４実施形態と異なるので、各実施形態では、主として、第４実施形態と異なる点を説明する。
【００７９】
ちなみに、第５、第７及び第８の各実施形態では、室外側接続流路Ｑとして室外側直列接続流路Ｑｓが設けられ、室外側通流状態切換部Ｓが、部分負荷通流状態においては室外側直列接続流路Ｑｓを通して冷媒を通流させるように構成され、制御部６が、定格運転状態においては、室外側通流状態切換部Ｓを通常通流状態に切り換え、部分負荷運転状態においては、室外側通流状態切換部Ｓを部分負荷通流状態に切り換えるように構成されている。
又、第６実施形態では、室外側接続流路Ｑとして室外側並列接続流路Ｑｐが設けられ、室外側通流状態切換部Ｓが、部分負荷通流状態においては室外側並列接続流路Ｑｐを通して冷媒を通流させるように構成されている。又、複数の冷媒回路Ｃが、異なる冷媒回路Ｃに備えられた膨張弁２に冷媒を通流可能とする膨張弁用接続流路Ｑｂにて連結されており、室外側通流状態切換部Ｓが、部分負荷通流状態において、冷媒を通流させる膨張弁２の数を変更自在に構成されている。そして、制御部６が、定格運転状態においては、室外側通流状態切換部Ｓを通常通流状態に切り換え、部分負荷運転状態においては、室外側通流状態切換部Ｓを部分負荷通流状態に切り換えると共に、空調負荷に応じて冷媒を通流させる膨張弁２の数を変更すべく室外側通流状態切換部Ｓを作動させるように構成されている。
【００８０】
〔第５実施形態〕
以下、図１３及び図１４に基づいて、第５実施形態を説明する。
尚、図１３は、マルチ型空調システムの全体構成、及び、冷房運転状態での部分負荷運転状態における冷媒の流れを示し、図１４は、暖房運転状態での部分負荷運転状態における冷媒の流れを示す。
図１３及び図１４に示すように、この第５実施形態では、空調側接続流路Ｒと空調側通流状態切換部Ｔが第４実施形態と同様であるが、室外側接続流路Ｑ及び室外側通流状態切換部Ｓが上記の第１実施形態と同様であって第４実施形態と異なる。
【００８１】
室外側通流状態切換部Ｓの通常通流状態及び部分負荷通流状態夫々における各弁の開閉作動状態は、第１実施形態と同様であり、空調側通流状態切換部Ｔの通常通流状態及び部分負荷通流状態夫々における各弁の開閉作動状態は、第４実施形態と同様である。
ちなみに、図１３に、冷房運転状態において、室外側通流状態切換部Ｓ及び空調側通流状態切換部Ｔが部分負荷通流状態に切り換えられた状態、及び、その状態での冷媒の通流形態を示し、図１４に、暖房運転状態において、室外側通流状態切換部Ｓ及び空調側通流状態切換部Ｔが部分負荷通流状態に切り換えられた状態、及び、その状態での冷媒の通流形態を示す。
【００８２】
つまり、この第５実施形態では、空調側接続流路Ｒとして空調側並列接続流路Ｒｐが設けられ、空調側通流状態切換部Ｔが、部分負荷通流状態においては空調側並列接続流路Ｒｐを通して冷媒を通流させるように構成されていることになる。
【００８３】
〔第６実施形態〕
以下、図１５〜図２２に基づいて、第６実施形態を説明する。
尚、図１５は、マルチ型空調システムの全体構成、及び、冷房運転状態での単一膨張弁通過形態の第１部分負荷運転状態における冷媒の流れを示し、図１６は、暖房運転状態での単一膨張弁通過形態の第１部分負荷運転状態における冷媒の流れを示す。又、図１７、図１９及び図２１は、冷房運転状態での冷媒の流れを示し、図１７は単一膨張弁通過形態の第２部分負荷運転状態であり、図１９は複数膨張弁通過形態の第１部分負荷状態であり、図２１は複数膨張弁通過形態の第２部分負荷状態である。又、図１８、図２０及び図２２は、暖房運転状態での冷媒の流れを示し、図１８は単一膨張弁通過形態の第２部分負荷運転状態であり、図２０は複数膨張弁通過形態の第１部分負荷状態であり、図２２は複数膨張弁通過形態の第２部分負荷状態である。
図１５及び図１６に示すように、この第６実施形態では室外側接続流路Ｑ及び室外側通流状態切換部Ｓが上記の第４実施形態と同様であるが、空調側接続流路Ｒ及び空調側通流状態切換部Ｔが第４実施形態と異なる。
【００８４】
空調側接続流路Ｒ及び空調側通流状態切換部Ｔについて説明を加える。
第４実施形態と同様に、第５連通流路Ｐ５、第５連通流路開閉弁Ｖ５、第６連通流路Ｐ６及び第６連通流路開閉弁Ｖ６が設けられている。
又、第１冷媒回路Ｃａの対空調用熱交換器流路５ｄにおける第５連通流路Ｐ５の接続箇所よりも空調用熱交換器４側の箇所と第２冷媒回路Ｃｂの熱交換器間流路５ｅにおける第６連通流路Ｐ６の接続箇所よりも空調用熱交換器４側の箇所とを連通接続する第７連通流路Ｐ７、及び、その第７連通流路Ｐ７を開閉する第７連通流路開閉弁Ｖ７が設けられている。
更に、第１冷媒回路Ｃａの対空調用熱交換器流路５ｄにおける第５連通流路Ｐ５及び第７連通流路Ｐ７夫々の接続箇所同士の間に、対空調用熱交換器流路５ｄを開閉する対空調用熱交換器流路第２開閉弁Ｖｄｄが設けられ、第２冷媒回路Ｃｂの熱交換器間流路５ｅにおける第６連通流路Ｐ６及び第７連通流路Ｐ７夫々の接続箇所同士の間に、熱交換器間流路５ｅを開閉する熱交換器間流路開閉弁Ｖｅが設けられている。
つまり、空調側接続流路Ｒが、第５連通流路Ｐ５、第６連通流路Ｐ６及び第７連通流路Ｐ７により構成され、空調側通流状態切換部Ｔが、第５連通流路開閉弁Ｖ５、第６連通流路開閉弁Ｖ６、第７連通流路開閉弁Ｖ７、対空調用熱交換器流路第２開閉弁Ｖｄｄ及び熱交換器間流路開閉弁Ｖｅにより構成されている。
【００８５】
次に、空調側通流状態切換部Ｔの通常通流状態及び部分負荷通流状態夫々における各弁の開閉作動状態について説明する。
図示を省略するが、通常通流状態では、第５連通流路開閉弁Ｖ５、第６連通流路開閉弁Ｖ６及び第７連通流路開閉弁Ｖ７を閉弁し、対空調用熱交換器流路第２開閉弁Ｖｄｄ及び熱交換器間流路開閉弁Ｖｅを開弁する。
図１５及び図１６に示すように、第１冷媒回路Ｃａの圧縮機１が運転対象に設定されて、室外側通流状態切換部Ｓが単一膨張弁通過形態の第１部分負荷通流状態に切り換えられた状態で、第５連通流路開閉弁Ｖ５及び第７連通流路開閉弁Ｖ７を開弁し、第６連通流路開閉弁Ｖ６、対空調用熱交換器流路第２開閉弁Ｖｄｄ及び熱交換器間流路開閉弁Ｖｅを閉弁すると、第１冷媒回路Ｃａの圧縮機１が運転対象に設定されたときに対応する単一膨張弁通過形態の第１部分負荷通流状態に空調側通流状態切換部Ｔが切り換えられる。
又、図１７及び図１８に示すように、第２冷媒回路Ｃｂの圧縮機１が運転対象に設定されて、室外側通流状態切換部Ｓが単一膨張弁通過形態の第２部分負荷通流状態に切り換えられた状態で、第６連通流路開閉弁Ｖ６及び第７連通流路開閉弁Ｖ７を開弁し、第５連通流路開閉弁Ｖ５、対空調用熱交換器流路第２開閉弁Ｖｄｄ及び熱交換器間流路開閉弁Ｖｅを閉弁すると、第２冷媒回路Ｃｂの圧縮機１が運転対象に設定されたときに対応する単一膨張弁通過形態の第２部分負荷通流状態に空調側通流状態切換部Ｔが切り換えられる。
【００８６】
又、図１９及び図２０に示すように、図１５及び図１６に示す状態において、第２連通流路開閉弁Ｖ２を閉じ、且つ、２台の冷媒回路Ｃ夫々の膨張弁２を開弁して、室外側通流状態切換部Ｓを複数膨張弁通過形態の第１部分負荷通流状態に切り換えたときは、第６連通流路開閉弁Ｖ６を開弁すると、空調側通流状態切換部Ｔが複数膨張弁通過形態の第１部分負荷通流状態に切り換えられる。
又、図２１及び図２２に示すように、図１７及び図１８に示す状態において、第２連通流路開閉弁Ｖ２を閉じ、且つ、２台の冷媒回路Ｃ夫々の膨張弁２を開弁して、第２冷媒回路Ｃｂの圧縮機１が運転対象に設定されて、室外側通流状態切換部Ｓを複数膨張弁通過形態の第２部分負荷通流状態に切り換えたときは、上述の単一膨張弁通過形態の第２部分負荷通流状態に切り換える場合と同様に各弁を作動させると、空調側通流状態切換部Ｔが複数膨張弁通過形態の第２部分負荷通流状態に切り換えられる。
【００８７】
次に、室外側通流状態切換部Ｓ及び空調側通流状態切換部Ｔが部分負荷通流状態に切り換えられたときの冷媒の通流形態について説明する。
尚、部分負荷通流状態での冷媒の通流形態は、複数の冷媒回路Ｃの空調用熱交換器４を通過するときの通流形態が異なる以外は第３実施形態と同様であるので、第３実施形態と同様の形態で通流する部分の説明を省略する。
冷媒回路Ｃが冷房運転状態に切り換えられた状態で、室外側通流状態切換部Ｓが単一膨張弁通過形態の第１部分負荷通流状態に切り換えられ且つ空調側通流状態切換部Ｔが単一膨張弁通過形態の第１部分負荷通流状態に切り換えられたときの冷媒の通流形態は、図１５に示す通りである。
つまり、第３実施形態と同様に第１冷媒回路Ｃａの膨張弁２を通過した冷媒は、第７連通流路Ｐ７及び第５連通流路Ｐ５により第１冷媒回路Ｃａの空調用熱交換器４、第２冷媒回路Ｃｂの空調用熱交換器４を順に通流したのち、第１冷媒回路Ｃａの対空調用熱交換器流路５ｄを通流し、以降、第３実施形態と同様に通流する。
冷媒回路Ｃが冷房運転状態に切り換えられた状態で、室外側通流状態切換部Ｓが単一膨張弁通過形態の第２部分負荷通流状態に切り換えられ且つ空調側通流状態切換部Ｔが単一膨張弁通過形態の第２部分負荷通流状態に切り換えられたときは、冷媒は図１７に示すように通流する。即ち、第３実施形態と同様に第２冷媒回路Ｃｂの膨張弁２を通過した冷媒は、第６連通流路Ｐ６及び第７連通流路Ｐ７により第１冷媒回路Ｃａの空調用熱交換器４、第２冷媒回路Ｃｂの空調用熱交換器４を順に通流したのち、第２冷媒回路Ｃｂの対空調用熱交換器流路５ｄを通流し、以降、第３実施形態と同様に通流する。
【００８８】
冷媒回路Ｃが冷房運転状態に切り換えられた状態で、室外側通流状態切換部Ｓが複数膨張弁通過形態の第１部分負荷通流状態に切り換えられ且つ空調側通流状態切換部Ｔが複数膨張弁通過形態の第１部分負荷通流状態に切り換えられたときは、冷媒は図１９に示すように通流する。即ち、第２冷媒回路Ｃｂの膨張弁２を通過した冷媒は、第６連通流路Ｐ６により、第１冷媒回路Ｃａの膨張弁２を通過して熱交換器間流路５ｅを通流する冷媒に合流し、その合流した冷媒は、第１冷媒回路Ｃａの空調用熱交換器４、第２冷媒回路Ｃｂの空調用熱交換器４を順に通流したのち、第５連通流路Ｐ５から第１冷媒回路Ｃａの対空調用熱交換器流路５ｄを通流し、以降、第３実施形態と同様に通流する。
又、冷媒回路Ｃが冷房運転状態に切り換えられた状態で、室外側通流状態切換部Ｓが複数膨張弁通過形態の第２部分負荷通流状態に切り換えられ且つ空調側通流状態切換部Ｔが複数膨張弁通過形態の第２部分負荷通流状態に切り換えられたときは、冷媒は図２１に示すように通流する。即ち、第２冷媒回路Ｃｂの膨張弁２を通過した冷媒は、第６連通流路Ｐ６により、第１冷媒回路Ｃａの膨張弁２を通過して熱交換器間流路５ｅを通流する冷媒に合流し、その合流した冷媒は、第１冷媒回路Ｃａの空調用熱交換器４、第２冷媒回路Ｃｂの空調用熱交換器４を順に通流したのち、そのまま第２冷媒回路Ｃｂの対空調用熱交換器流路５ｄを通流し、以降、第３実施形態と同様に通流する。
【００８９】
冷媒回路Ｃが暖房運転状態に切り換えられた状態で、室外側通流状態切換部Ｓが単一膨張弁通過形態の第１部分負荷通流状態に切り換えられ且つ空調側通流状態切換部Ｔが単一膨張弁通過形態の第１部分負荷通流状態に切り換えられたときの冷媒の通流形態は、図１６に示す通りである。
つまり、第３実施形態と同様に第１冷媒回路Ｃａの対空調用熱交換器流路５ｄを通流する冷媒は、第５連通流路Ｐ５及び第７連通流路Ｐ７により第２冷媒回路Ｃｂの空調用熱交換器４、第１冷媒回路Ｃａの空調用熱交換器４を順に通流したのち、第１冷媒回路Ｃａの熱交換器間流路５ｅを通流し、以降、第３実施形態と同様に通流する。
冷媒回路Ｃが暖房運転状態に切り換えられた状態で、室外側通流状態切換部Ｓが単一膨張弁通過形態の第２部分負荷通流状態に切り換えられ且つ空調側通流状態切換部Ｔが単一膨張弁通過形態の第２部分負荷通流状態に切り換えられたときは、冷媒は図１８に示すように通流する。即ち、第３実施形態と同様に第２冷媒回路Ｃｂの対空調用熱交換器流路５ｄを通流する冷媒は、第７連通流路Ｐ７及び第６連通流路Ｐ６により第２冷媒回路Ｃｂの空調用熱交換器４、第１冷媒回路Ｃの空調用熱交換器４を順に通流したのち、第２冷媒回路Ｃｂの熱交換器間流路５ｅを通流し、以降、第３実施形態と同様に通流する。
【００９０】
冷媒回路Ｃが暖房運転状態に切り換えられた状態で、室外側通流状態切換部Ｓが複数膨張弁通過形態の第１部分負荷通流状態に切り換えられ且つ空調側通流状態切換部Ｔが複数膨張弁通過形態の第１部分負荷通流状態に切り換えられたときは、冷媒は図２０に示すように通流する。即ち、第１冷媒回路Ｃａの対空調用熱交換器流路５ｄを通った冷媒は、第５連通流路Ｐ５及び第７連通路Ｐ７により第２及び第１冷媒回路Ｃｂ，Ｃａの空調用熱交換器４を順に通流した後、第１及び第２冷媒回路Ｃａ，Ｃｂ夫々の熱交換器間流路５ｅを並行に通流し、以降、第３実施形態と同様に通流する。
又、冷媒回路Ｃが暖房運転状態に切り換えられた状態で、室外側通流状態切換部Ｓが複数膨張弁通過形態の第２部分負荷通流状態に切り換えられ且つ空調側通流状態切換部Ｔが複数膨張弁通過形態の第２部分負荷通流状態に切り換えられたときは、冷媒は図２２に示すように通流する。即ち、第２冷媒回路Ｃｂの対空調用熱交換器流路５ｄを通った冷媒は、第７連通路Ｐ７により第２及び第１冷媒回路Ｃｂ，Ｃａの空調用熱交換器４を順に通流した後、第１及び第２冷媒回路Ｃａ，Ｃｂ夫々の熱交換器間流路５ｅを並行に通流し、以降、第３実施形態と同様に通流する。
【００９１】
第５連通流路Ｐ５、第６連通流路Ｐ６及び第７連通流路Ｐ７が、複数の冷媒回路Ｃの夫々に備えられた空調用熱交換器４を直列状に接続する空調側直列接続流路Ｒｓとして機能し、空調側通流状態切換部Ｔが、部分負荷通流状態においては空調側直列接続流路Ｒｓを通して冷媒を通流させるように構成されている。
【００９２】
次に、制御部６の制御動作について、説明を加える。
制御部６は、上記の第３実施形態と同様に、室内ユニットＵｉの運転台数に応じて室外側通流状態切換部Ｓを切り換える。又、制御部６は、室外側通流状態切換部Ｓを通常通流状態に切り換えたときは、空調側通流状態切換部Ｔを通常通流状態に切り換え、室外側通流状態切換部Ｓを複数膨張弁通過形態の第１又は第２部分負荷通流状態に切り換えたときは、空調側通流状態切換部Ｔを複数膨張弁通過形態の第１又は第２部分負荷通流状態に切り換え、室外側通流状態切換部Ｓを単一膨張弁通過形態の第１又は第２部分負荷通流状態に切り換えたときは、空調側通流状態切換部Ｔを単一膨張弁通過形態の第１又は第２部分負荷通流状態に切り換える。
又、上記の第３実施形態と同様に、制御部６は、部分負荷運転状態においては、複数の冷媒回路Ｃの圧縮機１の積算運転時間を均等化すべく、運転対象の圧縮機１を複数の冷媒回路Ｃの圧縮機１から選択して設定し、そのように設定した運転対象の圧縮機１に応じて第１及び第２のうちのいずれかの部分負荷通流状態に切り換えるように室外側通流状態切換部Ｓ及び空調側通流状態切換部Ｔの作動を制御する。
つまり、制御部６が、部分負荷運転状態において運転対象の圧縮機１を変更設定自在に構成され、室外側通流状態切換部Ｓ及び空調側通流状態切換部Ｔが、変更設定される運転対象の圧縮機１を備えた冷媒回路Ｃを運転対象の冷媒回路Ｃとして部分負荷通流状態に切り換え自在に構成されている。
【００９３】
〔第７実施形態〕
以下、図２３及び図２４に基づいて、第７実施形態を説明する。
尚、図２３は、マルチ型空調システムの全体構成、及び、冷房運転状態での部分負荷運転状態における冷媒の流れを示し、図２４は、暖房運転状態での部分負荷運転状態における冷媒の流れを示す。
図２３及び図２４に示すように、この第７実施形態では、室外側接続流路Ｑ及び室外側通流状態切換部Ｓの組み合わせ、並びに、空調側接続流路Ｒ及び空調側通流状態切換部Ｔの組み合わせ共に第４実施形態と異なり、室外側接続流路Ｑ及び室外側通流状態切換部Ｓが上記の第１実施形態と同様であり、空調側接続流路Ｒ及び空調側通流状態切換部Ｔが新たな構成である。
【００９４】
空調側接続流路Ｒ及び空調側通流状態切換部Ｔについて説明を加えると、空調側接続流路Ｒは、第１冷媒回路Ｃａの熱交換器間流路５ｅにおける膨張弁２よりも空調用熱交換器４側の箇所と第２冷媒回路Ｃｂの対空調用熱交換器流路５ｄにおける対空調用熱交換器流路開閉弁Ｖｄよりも空調用熱交換器４側の箇所とを連通接続する第８連通流路Ｐ８により構成され、空調側通流状態切換部Ｔは、第８連通流路Ｐ８を開閉する第８連通流路開閉弁Ｖ８により構成されている。
【００９５】
空調側通流状態切換部Ｔは、図２３及び図２４に示すように、第８連通流路開閉弁Ｖ８を開弁すると部分負荷通流状態に切り換えられ、図示を省略するが、第８連通流路開閉弁Ｖ８を閉弁すると通常通流状態に切り換えられる。
【００９６】
次に、室外側通流状態切換部Ｓ及び空調側通流状態切換部Ｔが部分負荷通流状態に切り換えられたときの冷媒の通流形態について説明する。
尚、部分負荷通流状態での冷媒の通流形態は、複数の冷媒回路Ｃの空調用熱交換器４を通過するときの通流形態が異なる以外は第１実施形態と同様であるので、第１実施形態と同様の形態で通流する部分の説明を省略する。
冷媒回路Ｃが冷房運転状態に切り換えられた状態では、図２３に示すように、第２冷媒回路Ｃｂの膨張弁２を通過して、その第２冷媒回路Ｃｂの熱交換器間流路５ｅを通流する冷媒は、第８連通流路Ｐ８により第２冷媒回路Ｃｂの空調用熱交換器４、第１冷媒回路Ｃａの空調用熱交換器４を順に通過したのち、第１冷媒回路Ｃａの対空調用熱交換器流路５ｄを通流し、以降、第１実施形態と同様に通流する。
冷媒回路Ｃが暖房運転状態に切り換えられた状態では、図２４に示すように、第１冷媒回路Ｃａの圧縮機１から吐出されて第１冷媒回路Ｃａの対空調用熱交換器流路５ｄを通流する冷媒は、第８連通流路Ｐ８により第１冷媒回路Ｃａの空調用熱交換器４、第２冷媒回路Ｃｂの空調用熱交換器４を順に通過したのち、第２冷媒回路Ｃｂの熱交換器間流路５ｅを通流し、以降、第１実施形態と同様に通流する。
【００９７】
つまり、第８連通流路Ｐ８が空調側直列接続流路Ｒｓとして機能し、空調側通流状態切換部Ｔが、部分負荷通流状態においては空調側直列接続流路Ｒｓを通して冷媒を通流させるように構成されている。
【００９８】
〔第８実施形態〕
以下、図２５及び図２６に基づいて、第８実施形態を説明する。
尚、図２５は、マルチ型空調システムの全体構成、及び、冷房運転状態において第１冷媒回路Ｃａの圧縮機１が運転対象に設定された第１部分負荷運転状態のときの冷媒の流れを示し、図２６は、冷房運転状態において第２冷媒回路Ｃｂの圧縮機１が運転対象に設定された第２部分負荷運転状態のときの冷媒の流れを示す。
図２５及び図２６に示すように、この第８実施形態では、室外側接続流路Ｑ及び室外側通流状態切換部Ｓの組み合わせ、並びに、空調側接続流路Ｒ及び空調側通流状態切換部Ｔの組み合わせ共に第４実施形態と異なり、室外側接続流路Ｑ及び室外側通流状態切換部Ｓが上記の第２実施形態と同様であり、空調側接続流路Ｒ及び空調側通流状態切換部Ｔが新たな構成である。
【００９９】
空調側接続流路Ｒ及び空調側通流状態切換部Ｔについて説明を加えると、空調側接続流路Ｒは、第６実施形態と同様の第７連通流路Ｐ７及び第７実施形態と同様の第８連通流路Ｐ８にて構成され、空調側通流状態切換部Ｔは、第７連通流路Ｐ７を開閉する第７連通流路開閉弁Ｖ７及び第８連通流路Ｐ８を開閉する第８連通流路開閉弁Ｖ８にて構成されている。
図示を省略するが、第７連通流路開閉弁Ｖ７及び第８連通流路開閉弁Ｖ８を閉弁すると、空調側通流状態切換部Ｔが通常通流状態に切り換えられる。
空調側通流状態切換部Ｔは、図２５に示すように、第８連通流路開閉弁Ｖ８を開弁し、第７連通流路開閉弁Ｖ７を閉弁すると、第１冷媒回路Ｃａの圧縮機１が運転対象に設定されたときに対応する第１部分負荷通流状態に切り換えられ、図２６に示すように、第７連通流路開閉弁Ｖ７を開弁し、第８連通流路開閉弁Ｖ８を閉弁すると、第２冷媒回路Ｃｂの圧縮機１が運転対象に設定されたときに対応する第２部分負荷通流状態に切り換えられる。
【０１００】
つまり、この第８実施形態では、空調側接続流路Ｒとして空調側直列接続流路Ｒｓが設けられ、空調側通流状態切換部Ｔが、部分負荷通流状態においては空調側直列接続流路Ｒｓを通して冷媒を通流させるように構成されている。
【０１０１】
上記の第３実施形態と同様に、制御部６は、部分負荷運転状態においては、複数の冷媒回路Ｃの圧縮機１の積算運転時間を均等化すべく、運転対象の圧縮機１を複数の冷媒回路Ｃの圧縮機１から選択して設定し、そのように設定した運転対象の圧縮機１に応じて第１及び第２のうちのいずれかの部分負荷通流状態に切り換えるように室外側通流状態切換部Ｓ及び空調側通流状態切換部Ｔの作動を制御する。
つまり、制御部６が、部分負荷運転状態において運転対象の圧縮機１を変更設定自在に構成され、室外側通流状態切換部Ｓ及び空調側通流状態切換部Ｔが、変更設定される運転対象の圧縮機１を備えた冷媒回路Ｃを運転対象の冷媒回路Ｃとして部分負荷通流状態に切り換え自在に構成されている。
【０１０２】
〔第９実施形態〕
以下、図２７及び図２８に基づいて、第９実施形態を説明する。
この第９実施形態のマルチ型空調システムには、上記の第１実施形態と同様の冷媒回路Ｃが３台設けられている。
尚、各図では、３台の冷媒回路Ｃを区別するため、冷媒回路を示す符号Ｃに添え字ａ，ｂ，ｃを付し、又、以下の説明において、３台の冷媒回路Ｃを区別して説明するときは、冷媒回路を示す符号Ｃに添え字ａ，ｂ，ｃを付して、第１冷媒回路Ｃａ、第２冷媒回路Ｃｂ、第３冷媒回路Ｃｃと記載する。
【０１０３】
この第９実施形態では、上記の第３実施形態と同構成の室外側並列接続流路Ｑｐ及び室外側通流状態切換部Ｓが設けられている。
つまり、第９実施形態では、第３実施形態と同様に、室外側接続流路Ｑとして室外側並列接続流路Ｑｐが設けられ、室外側通流状態切換部Ｓが、部分負荷通流状態においては室外側並列接続流路Ｑｐを通して冷媒を通流させるように構成されている。
又、複数の冷媒回路Ｃが、異なる冷媒回路Ｃに備えられた膨張弁２に冷媒を通流可能とする膨張弁用接続流路Ｑｂにて連結されており、室外側通流状態切換部Ｓが、部分負荷通流状態において、冷媒を通流させる膨張弁２の数を変更自在に構成されている。
そして、制御部６が、定格運転状態においては、室外側通流状態切換部Ｓを通常通流状態に切り換え、部分負荷運転状態においては、室外側通流状態切換部Ｓを部分負荷通流状態に切り換えると共に、空調負荷に応じて冷媒を通流させる膨張弁２の数を変更すべく室外側通流状態切換部Ｓを作動させるように構成されている。
【０１０４】
室外側接続流路Ｑは、第１及び第２冷媒回路Ｃａ，Ｃｂ夫々の対室外用熱交換器流路５ｃを連通接続する第１連通流路Ｐ１、及び、第２及び第３冷媒回路Ｃｂ，Ｃｃ夫々の対室外用熱交換器流路５ｃを連通接続する第１連通流路Ｐ１、並びに、第１及び第２冷媒回路Ｃａ，Ｃｂ夫々の熱交換器間流路５ｅを連通接続する第２連通流路Ｐ２、及び、第２及び第３冷媒回路Ｃｂ，Ｃｃ夫々の熱交換器間流路５ｅを連通接続する第２連通流路Ｐ２にて構成されている。
室外側通流状態切換部Ｓは、各第１連通流路Ｐ１を開閉する第１連通流路開閉弁Ｖ１、及び、各第２連通流路Ｐ２を開閉する第２連通流路開閉弁Ｖ２、並びに、各冷媒回路Ｃａ，Ｃｂ，Ｃｃの膨張弁２、対室外用熱交換器流路開閉弁Ｖｃ及び対空調用熱交換器流路開閉弁Ｖｄにより構成されている。
【０１０５】
この第９実施形態では、制御部６が、部分負荷運転状態において、運転対象に設定する圧縮機１の台数を空調負荷に応じて変更するように構成されている。
第９実施形態では冷媒回路Ｃが３台設けられているので、３台の冷媒回路Ｃａ，Ｃｂ，Ｃｃのうちの任意の１台の冷媒回路Ｃの圧縮機１を運転対象に設定する部分負荷運転状態、及び、３台の冷媒回路Ｃａ，Ｃｂ，Ｃｃのうちの任意の２台の冷媒回路Ｃの圧縮機１を運転対象に設定する部分負荷運転状態との２種類の部分負荷運転状態に切り換え自在に構成されている。
【０１０６】
図２７及び図２８は、室外側通流状態切換部Ｓの部分負荷通流状態における各弁の開閉作動状態を示すものであり、図２７は、第２冷媒回路Ｃｂの１台の圧縮機１が運転対象に設定された部分負荷運転状態を例にして示すものであり、図２８は、第１、第２冷媒回路Ｃａ，Ｃｂの２台の圧縮機１が運転対象に設定された部分負荷運転状態を例にして示すものである。尚、図２７及び図２８は、各冷媒回路Ｃが冷房運転状態に切り換えられた状態における各弁の開閉作動状態を示すが、各冷媒回路Ｃが暖房運転状態に切り換えられた状態でも同様である。
【０１０７】
３台の冷媒回路Ｃのうちの１台の冷媒回路Ｃの圧縮機１が運転対象に設定された部分負荷運転状態の場合、図２７に示すように、３台の冷媒回路Ｃのうちの２台の冷媒回路Ｃの室外用熱交換器３に並行して冷媒を通流させる部分負荷通流状態の他に、図示を省略するが、３台の冷媒回路Ｃ全ての室外用熱交換器３に並行して冷媒を通流させる部分負荷通流状態も選択することができる。
つまり、室外側通流状態切換部Ｓが、運転対象の圧縮機１と、運転対象の圧縮機１が備えられた運転対象の冷媒回路Ｃの室外用熱交換器３及び運転対象の冷媒回路Ｃとは異なる一部の冷媒回路Ｃの室外用熱交換器３とにわたって冷媒を通流させる部分負荷通流状態、及び、運転対象の圧縮機１と、運転対象の圧縮機１が備えられた運転対象の冷媒回路Ｃの室外用熱交換器３及び運転対象の冷媒回路Ｃとは異なる全ての冷媒回路Ｃの室外用熱交換器３とにわたって冷媒を通流させる部分負荷通流状態のいずれかに選択的に切り換え自在なように構成されている。
【０１０８】
つまり、この第９実施形態では、上記の第３実施形態と同様に、制御部６が、部分負荷運転状態において運転対象の圧縮機１を変更設定自在に構成され、室外側通流状態切換部Ｓが、変更設定される運転対象の圧縮機１を備えた冷媒回路Ｃを運転対象の冷媒回路Ｃとして部分負荷通流状態に切り換え自在に構成されている。
【０１０９】
又、上記の第３実施形態と同様に、部分負荷通流状態において、各第２連通流路開閉弁Ｖ２及び各冷媒回路Ｃの膨張弁２夫々の開弁を制御することにより、冷媒を通流させる膨張弁２の数を変更することが可能である。
例えば、図２７に示す部分負荷通流状態は、３台の冷媒回路Ｃのうちの第２冷媒回路Ｃｂの圧縮機１が運転対象に設定され、且つ、３台の冷媒回路Ｃのうちの第２、第３冷媒回路Ｃｂ、Ｃｃの室外用熱交換器３に並行して冷媒を通流させる状態の部分負荷運転状態において、運転対象の第２冷媒回路Ｃｂの膨張弁２にのみ冷媒を通流させる状態であるが、全ての第２連通流路開閉弁Ｖ２を閉じ、第３冷媒回路Ｃｃの膨張弁２を開弁すると、第２、第３冷媒回路Ｃｂ、Ｃｃの膨張弁２に冷媒を通流させる状態に切り換えることができる。
【０１１０】
〔第１０実施形態〕
以下、図２９及び図３０に基づいて、第１０実施形態を説明する。
この第１０実施形態のマルチ型空調システムは、上記の第９実施形態と同様の構成である。
そして、上記の第１実施形態と同構成の室外側直列接続流路Ｑｓ及び室外側通流状態切換部Ｓが設けられて、室外側通流状態切換手段Ｓが、部分負荷通流状態においては室外側直列接続流路Ｑｓを通して冷媒を通流させるように構成され、制御部６が、定格運転状態においては、室外側通流状態切換部Ｓを通常通流状態に切り換え、部分負荷運転状態においては、室外側通流状態切換部Ｓを部分負荷通流状態に切り換えるように構成されている。
つまり、室外側接続流路Ｑは、第１冷媒回路Ｃａの熱交換器間流路５ｅと第２冷媒回路Ｃｂの対室外用熱交換器流路５ｃとを連通接続する第３連通流路Ｐ３、及び、第２冷媒回路Ｃｂの熱交換器間流路５ｅと第３冷媒回路Ｃｃの対室外用熱交換器流路５ｃとを連通接続する第３連通流路Ｐ３により構成されている。
室外側通流状態切換部Ｓは、各第３連通流路Ｐ３を開閉する第３連通流路開閉弁Ｖ３、並びに、各冷媒回路Ｃａ，Ｃｂ，Ｃｃの膨張弁２、対室外用熱交換器流路開閉弁Ｖｃ及び対空調用熱交換器流路開閉弁Ｖｄにより構成されている。
【０１１１】
この第１０実施形態でも、第９実施形態と同様に、制御部６が、部分負荷運転状態において、運転対象に設定する圧縮機１の台数を空調負荷に応じて変更するように構成されている。
第１０実施形態では冷媒回路Ｃが３台設けられているので、３台の冷媒回路Ｃａ，Ｃｂ，Ｃｃのうちの１台の冷媒回路Ｃの圧縮機１を運転対象に設定する部分負荷運転状態、及び、３台の冷媒回路Ｃａ，Ｃｂ，Ｃｃのうちの２台の冷媒回路Ｃの圧縮機１を運転対象に設定する部分負荷運転状態との２種類の部分負荷通流状態に切り換え自在に構成されている。
尚、１台の冷媒回路Ｃの圧縮機１を運転対象に設定する部分負荷運転状態では、第１冷媒回路Ｃａ又は第２冷媒回路Ｃｂの圧縮機１を運転対象に選択することができ、２台の冷媒回路Ｃの圧縮機１を運転対象に設定する部分負荷運転状態では、第１及び第２冷媒回路Ｃａ，Ｃｂ又は第１及び第３冷媒回路Ｃａ，Ｃｃの圧縮機１を運転対象に選択することができる。
【０１１２】
図２９及び図３０は、室外側通流状態切換部Ｓの部分負荷通流状態における各弁の開閉作動状態を示すものであり、図２９は、第１冷媒回路Ｃａの１台の圧縮機１が運転対象に設定された部分負荷運転状態を例にして示すものであり、図３０は、第１及び第３冷媒回路Ｃａ，Ｃｃの２台の圧縮機１が運転対象に設定された部分負荷運転状態を例にして示すものである。尚、図２９及び図３０は、各冷媒回路Ｃが冷房運転状態に切り換えられた状態における各弁の開閉作動状態を示すが、各冷媒回路Ｃが暖房運転状態に切り換えられた状態でも同様である
【０１１３】
第１冷媒回路Ｃａの１台の圧縮機１を運転対象に設定する部分負荷運転状態の場合、図２９に示すように、第１、第２及び第３の３台の冷媒回路Ｃａ，Ｃｂ，Ｃｃの室外用熱交換器３を順に通流させる部分負荷通流状態の他に、図示を省略するが、第１及び第２の２台の冷媒回路Ｃａ，Ｃｂの室外用熱交換器３を順に通流させる部分負荷通流状態も選択することができる。
つまり、室外側通流状態切換部Ｓが、運転対象の圧縮機１と、運転対象の圧縮機１が備えられた運転対象の冷媒回路Ｃの室外用熱交換器３及び運転対象の冷媒回路Ｃとは異なる一部の冷媒回路Ｃの室外用熱交換器３とにわたって冷媒を通流させる部分負荷通流状態、及び、運転対象の圧縮機１と、運転対象の圧縮機１が備えられた運転対象の冷媒回路Ｃの室外用熱交換器３及び運転対象の冷媒回路Ｃとは異なる全ての冷媒回路Ｃの室外用熱交換器３とにわたって冷媒を通流させる部分負荷通流状態のいずれかに選択的に切り換え自在なように構成されている。
【０１１４】
又、図３０に示すように、第１及び第３冷媒回路Ｃａ，Ｃｃの２台の圧縮機１を運転対象に設定する部分負荷運転状態の場合、第１冷媒回路Ｃａの室外用熱交換器３、第２冷媒回路Ｃｂの室外用熱交換器３を順に冷媒を通流させ、第３の冷媒回路Ｃｃの室外用熱交換器３は独立して冷媒を通流させるように、室外側通流状態切換部Ｓの各弁を開閉作動する。
図示を省略するが、第１及び第２冷媒回路Ｃａ，Ｃｂの２台の圧縮機１を運転対象に設定する部分負荷運転状態の場合、第２冷媒回路Ｃｂの室外用熱交換器３、第３冷媒回路Ｃｃの室外用熱交換器３を順に冷媒を通流させ、第１の冷媒回路Ｃａの室外用熱交換器３は独立して冷媒を通流させるように、室外側通流状態切換部Ｓの各弁を開閉作動する。
【０１１５】
〔別実施形態〕
次に別実施形態を説明する。
（イ）  上記の第１実施形態において例示した冷媒回路Ｃを３台以上設けて、室外側接続流路Ｑ及び室外側通流状態切換部Ｓとして、第１〜第３の各実施形態において説明したもののいずれかを適用しても良い。
又、上記の第４実施形態において例示した冷媒回路Ｃを３台以上設けて、上記の第４〜第８実施形態のいずれかで説明した室外側接続流路Ｑ及び室外側通流状態切換部Ｓ並びに空調側接続流路Ｒ及び空調側通流状態切換部Ｔを設けても良い。
【０１１６】
（ロ）  上記の第４実施形態において、空調側接続流路Ｒ及び空調側通流状態切換部Ｔを省略して、運転対象の冷媒回路Ｃ以外の冷媒回路Ｃの空調用熱交換器４を冷媒が通流しないように構成しても良い。又、それらの場合、冷媒回路Ｃを３台以上設けても良い。
【０１１７】
（ハ）  上記の各実施形態では、冷媒回路Ｃを冷房運転状態と暖房運転状態とに切り換え可能なように構成したが、冷房運転状態と暖房運転状態とのうちのいずれか一方の運転状態にて運転するように構成しても良い。
【０１１８】
（ニ）  上記の第１〜第３の各実施形態では、各冷媒回路Ｃに，膨張弁２を、冷房運転状態と暖房運転状態で共用するように１台設ける場合について例示したが、図３１〜図３４に示すように、上記の第１〜第３の各実施形態において、各冷媒回路Ｃに、膨張弁２として、冷房運転状態において使用する冷房用膨張弁２ｃと暖房運転状態において使用する暖房用膨張弁２ｗとを設けても良い。ちなみに、図３１及び図３２は、この膨張弁設置に係る別実施形態を上記の第３実施形態に適用した場合を示し、図３３及び図３４は、この膨張弁設置に係る別実施形態を、上記の第２実施形態に適用した場合を示すが、第１実施形態にも適用することができる。
そして、図３１は、冷媒回路Ｃが冷房運転状態に切り換えられ且つ室外側通流状態切換部Ｓが単一膨張弁通過形態の第１部分負荷運転状態に切り換えられた状態、及び、その状態での冷媒の流れを示し、図３２は、冷媒回路Ｃが暖房運転状態に切り換えられ且つ室外側通流状態切換部Ｓが単一膨張弁通過形態の第１部分負荷運転状態に切り換えられた状態、及び、その状態での冷媒の流れを示す。又、図３３は、冷媒回路Ｃが冷房運転状態に切り換えられ且つ室外側通流状態切換部Ｓが第２部分負荷運転状態に切り換えられた状態、及び、その状態での冷媒の流れを示し、図３４は、冷媒回路Ｃが暖房運転状態に切り換えられ且つ室外側通流状態切換部Ｓが第２部分負荷運転状態に切り換えられた状態、及び、その状態での冷媒の流れを示す。
【０１１９】
図３１〜図３４に示すように、冷房用膨張弁２ｃは、熱交換器間流路５ｅのうちの各空調用熱交換器４に対する分岐部分夫々における空調用熱交換器４の冷媒出入口近くに設けられ、暖房用膨張弁２ｗは、上記の第１〜第３の各実施形態における冷暖共用の膨張弁２と同様に、熱交換器間流路５ｅのうち、室外用熱交換器３に接続される側の部分に設けられる。
【０１２０】
次に、冷房運転状態及び暖房運転状態夫々において、冷房用膨張弁２ｃ及び暖房用膨張弁２ｗ夫々の開閉作動状態を説明する。
図３１及び図３３に示すように、冷房運転状態では、複数の冷房用膨張弁２ｃのうち、運転される空調用熱交換器４に対応するものを開弁すると共に負荷に応じて開度を調整し、運転されない空調用熱交換器４に対応するものを閉弁する。又、複数の冷媒回路Ｃの暖房用膨張弁２ｗのうち、冷媒通流対象の暖房用膨張弁２ｗ（図では第１冷媒回路Ｃａの暖房用膨張弁２ｗ）を全開して冷媒の圧力低下を抑制し、冷媒通流停止対象の暖房用膨張弁２ｗ（図では第２冷媒回路Ｃｂの暖房用膨張弁２ｗ）を閉弁する。
図３２及び図３４に示すように、暖房運転状態では、複数の冷媒回路Ｃの暖房用膨張弁２ｗのうち、冷媒通流対象の暖房用膨張弁２ｗ（図では第１冷媒回路Ｃａの暖房用膨張弁２ｗ）を開弁すると共に負荷に応じて開度を調整し、冷媒通流停止対象の暖房用膨張弁２ｗ（図では第２冷媒回路Ｃｂの暖房用膨張弁２ｗ）を閉弁する。
又、複数の冷房用膨張弁２ｃのうち、運転される空調用熱交換器４に対応するものを全開して冷媒の圧力低下を抑制し、運転されない空調用熱交換器４に対応するものを閉弁する。
【０１２１】
各冷房用膨張弁２ｃに対応して、冷房用膨張弁２ｃを迂回させて冷媒を流すように冷房用バイパス路を設けると共に、その冷房用バイパス路に冷房用バイパス弁を設け、各暖房用膨張弁２ｗに対応して、暖房用膨張弁２ｗを迂回させて冷媒を流すように暖房用バイパス路を設けると共に、その暖房用バイパス路に暖房用バイパス弁を設けても良い。この場合、これら、冷房用バイパス弁及び暖房用バイパス弁も室外側通流状態切換部Ｓを構成するものである。
そして、冷房運転状態では、複数の冷房用バイパス弁全てを閉弁し、複数の暖房用バイパス弁のうち、冷媒通流対象の暖房用膨張弁２ｗに対応するものを開弁し、冷媒通流停止対象の暖房用膨張弁２ｗに対応するものを閉弁することになる。この場合、暖房用膨張弁２ｗは全て閉弁することになる。
又、暖房運転状態では、複数の暖房用バイパス弁全てを閉弁し、複数の冷房用バイパス弁のうち、運転される空調用熱交換器４に対応するものを開弁し、運転されない空調用熱交換器４に対応するものを閉弁することになる。この場合、冷房用膨張弁２ｃは全て閉弁することになる。
【０１２２】
図３２に示す暖房運転状態おいて、第２連通流路開閉弁Ｖ２を閉弁し、運転されない第２冷媒回路Ｃｂの暖房用膨張弁２ｗを開弁すると、複数膨張弁通過形態の部分負荷通流状態とすることができる。
つまり、図３１及び図３２に示す別実施形態では、上記の第３実施形態と同様に、室外側接続流路Ｑとして室外側並列接続流路Ｑｐが設けられ、室外側通流状態切換部Ｓが、部分負荷通流状態においては室外側並列接続流路Ｑｐを通して冷媒を通流させるように構成されている。又、複数の冷媒回路Ｃが、異なる冷媒回路Ｃに備えられた暖房用膨張弁２ｗに冷媒を通流可能とする膨張弁用接続流路Ｑｂにて連結されており、室外側通流状態切換部Ｓが、暖房運転状態での部分負荷通流状態において、冷媒を通流させる暖房用膨張弁２ｗの数を変更自在に構成されている。これにより、空調負荷が小さくなって冷媒の通流量が少なくなっても、冷媒を通流させる暖房用膨張弁２ｗの数を少なくして、暖房用膨張弁２ｗ１台当たりの冷媒流量を増やすことにより、暖房用膨張弁２ｗを通流する冷媒流量が暖房用膨張弁２ｗでの制御可能流量範囲の下限よりも少なくなるのを回避することができる。
【０１２３】
図３３及び図３４に示す別実施形態では、室外側接続流路Ｑとして室外側直列接続流路Ｑｓが設けられ、室外側通流状態切換部Ｓが、部分負荷通流状態においては室外側直列接続流路Ｑｓを通して冷媒を通流させるように構成されている。
【０１２４】
（ホ）  複数の冷媒回路Ｃ夫々における室外用熱交換器３と空調用熱交換器４との接続形態は、上記の第１〜第３実施形態にて説明した形態、及び、上記の第４〜第８実施形態で説明した形態に限定されるものではない。
例えば、図３５及び図３６に示すように、複数の冷媒回路Ｃの夫々を、各冷媒回路Ｃ専用の室外用熱交換器３を複数の冷媒回路Ｃで共通の１個又は複数（図３５及び図３６では１個）の空調用熱交換器４に並列接続して構成し、前記１個又は複数（図３５及び図３６では１個）の空調用熱交換器４を、空調対象空間に設置される室内用熱交換器１２に循環される複数の熱搬送用流体と冷媒とを熱交換させるように構成しても良い。ちなみに、図３５及び図３６では、室外側通流状態切換部Ｓとして、上記の第２実施形態と同様の構成のものを設ける場合を一例として示すが、室外側通流状態切換部Ｓとしては、第１又は第３実施形態と同様の構成のものを設けることができる。
尚、図３５は、冷媒回路Ｃが冷房運転状態に切り換えられ且つ室外側通流状態切換部Ｓが第２部分負荷運転状態に切り換えられた状態、及び、その状態での冷媒の流れを示し、図３６は、冷媒回路Ｃが暖房運転状態に切り換えられ且つ室外側通流状態切換部Ｓが第２部分負荷運転状態に切り換えられた状態、及び、その状態での冷媒の流れを示す。
【０１２５】
この場合、上記の第４実施形態と同様に、室内用熱交換器１２を複数設けて、それら複数の室内用熱交換器１２と１個又は複数（図３５及び図３６では１個）の空調用熱交換器４とを流体往き路１３及び流体戻り路１４により並列状に接続することになる。
【０１２６】
又、図３１〜図３４にて説明した別実施形態と同様に、膨張弁２として、冷房運転状態において使用する冷房用膨張弁２ｃと暖房運転状態において使用する暖房用膨張弁２ｗとを設けても良い。
暖房用膨張弁２ｗは、図３１〜図３４にて説明した別実施形態と同様に設けられる。
又、冷房用膨張弁２ｃは、複数の冷媒回路Ｃ夫々の室外用熱交換器３に接続された熱交換器間流路５ｅが合流される合流部分における空調用熱交換器４の冷媒出入口近くに設けられる。
【０１２７】
次に、冷房運転状態及び暖房運転状態夫々において、冷房用膨張弁２ｃ及び暖房用膨張弁２ｗ夫々の開閉作動状態を説明する。
図３５に示すように、冷房運転状態で、室外側通流状態切換部Ｓが第２部分負荷通流状態に切り換えられた状態では、冷房用膨張弁２ｃを開弁すると共に負荷に応じて開度を調整し、第１冷媒回路Ｃａの暖房用膨張弁２ｗを全開し、第２冷媒回路Ｃｂの暖房用膨張弁２ｗを閉弁して、冷媒の圧力低下を抑制する。
図３６に示すように、暖房運転状態で、室外側通流状態切換部Ｓが第２部分負荷通流状態に切り換えられた状態では、第１冷媒回路Ｃａの暖房用膨張弁２ｗを開弁すると共に負荷に応じて開度を調整し、第２冷媒回路Ｃｂの暖房用膨張弁２ｗを閉弁し、冷房用膨張弁２ｃを全開して冷媒の圧力低下を抑制する。
【０１２８】
冷房用膨張弁２ｃを迂回させて冷媒を流すように、冷房用バイパス路を設けると共に、その冷房用バイパス路に冷房用バイパス弁を設け、各暖房用膨張弁２ｗに対応して、暖房用膨張弁２ｗを迂回して冷媒を流すように暖房用バイパス路を設けると共に、その暖房用バイパス路に暖房用バイパス弁を設けても良い。この場合、これら冷房用バイパス弁及び暖房用バイパス弁も室外側通流状態切換部Ｓを構成するものである。
そして、冷房運転状態では、冷房用バイパス弁を閉弁し、複数の冷媒回路Ｃ全ての暖房用バイパス弁を開弁することになる。この場合、複数の冷媒回路Ｃ全ての暖房用膨張弁２ｗを閉弁することになる。
又、暖房運転状態では、複数の冷媒回路Ｃ全ての暖房用バイパス弁を閉弁し、冷房用バイパス弁を開弁することになる。この場合、冷房用膨張弁２ｃは、閉弁することになる。
【０１２９】
図示を省略するが、図３５及び図３６に示す如き空調用熱交換器４の別実施形態を採用した構成において、室外側通流状態切換部Ｓとして第３実施形態と同様の構成のものを設けると、上記の図３１及び図３２に示す別実施形態と同様に、室外側通流状態切換部Ｓが、暖房運転状態での部分負荷通流状態において、冷媒を通流させる暖房用膨張弁２ｗの数を変更自在に構成されることになる。
【０１３０】
（ヘ）  室外用熱交換器３において冷媒と熱交換させる熱媒体は、上記の各実施形態において例示した外気に限定されるものではない。例えば、クーリングタワーやヒーティングタワーを設けて、冷媒をそれらクーリングタワーやヒーティングタワーにおいて通流される熱媒体と熱交換させても良い。
【０１３１】
（ト）  圧縮機１を駆動するエンジンとしては、上記の実施形態において例示したガスエンジン９に限定されるものではない。又、エンジンにて駆動する圧縮機１に代えて、電動モータにて駆動する圧縮機１を設けても良い。
【０１３２】
（チ）  本発明は、上記の実施形態の如き空調用のマルチ型温調システム以外に、冷熱や温熱を必要とする種々の用途のマルチ型温調システムに適用することができる。
【産業上の利用可能性】
【０１３３】
以上説明したように、冷媒と外気との伝熱を改善させて空調効率を向上し得るマルチ型温調システムを提供することができる。
【符号の説明】
【０１３４】
１    圧縮機
２    膨張弁
３    第１熱交換器
４    第２熱交換器
５    冷媒流路
６    制御手段
７    冷暖切換手段
９    エンジン
１２  室内用熱交換器
Ｃ    冷媒回路
Ｑ    接続流路
Ｑｂ  膨張弁用接続流路
Ｑｐ  並列接続流路
Ｑｓ  直列接続流路
Ｒ    空調側接続流路
Ｒｐ  空調側並列接続流路
Ｒｓ  空調側直列接続流路
Ｓ    通流状態切換手段
Ｔ    空調側通流状態切換手段
Ｕｉ  室内ユニット
【図１】
0005498359.tif 000002
【図２】
0005498359.tif 000003
【図３】
0005498359.tif 000004
【図４】
0005498359.tif 000005
【図５】
0005498359.tif 000006
【図６】
0005498359.tif 000007
【図７】
0005498359.tif 000008
【図８】
0005498359.tif 000009
【図９】
0005498359.tif 000010
【図１０】
0005498359.tif 000011
【図１１】
0005498359.tif 000012
【図１２】
0005498359.tif 000013
【図１３】
0005498359.tif 000014
【図１４】
0005498359.tif 000015
【図１５】
0005498359.tif 000016
【図１６】
0005498359.tif 000017
【図１７】
0005498359.tif 000018
【図１８】
0005498359.tif 000019
【図１９】
0005498359.tif 000020
【図２０】
0005498359.tif 000021
【図２１】
0005498359.tif 000022
【図２２】
0005498359.tif 000023
【図２３】
0005498359.tif 000024
【図２４】
0005498359.tif 000025
【図２５】
0005498359.tif 000026
【図２６】
0005498359.tif 000027
【図２７】
0005498359.tif 000028
【図２８】
0005498359.tif 000029
【図２９】
0005498359.tif 000030
【図３０】
0005498359.tif 000031
【図３１】
0005498359.tif 000032
【図３２】
0005498359.tif 000033
【図３３】
0005498359.tif 000034
【図３４】
0005498359.tif 000035
【図３５】
0005498359.tif 000036
【図３６】
0005498359.tif 000037